(57)【要約】【課題】複数のバリューを記録しているＩＣカードのバリューを還元することが可能な、バリュー還元システム及びバリュー還元方法を提供することを目的とする。【解決手段】交通機関側システムは、ＩＣカードに自動的に充当したバリューを請求データとして決済機関側システムに送信する装置からなり、バリュー還元端末は、ＩＣカードから残りのバリューを読み取り、それを決済機関側システムに送信する端末であり、決済機関側システムは、交通機関側システムから受信した請求データの充当したバリューを、ＩＣカードを有する利用者のカード利用として記録し、バリュー還元端末から受信した残りのバリューで、記録したバリューを減算し、その結果を利用者のカード利用として更新する装置からなる、バリュー還元システムである。【選択図】  図１
2004355150.tif 000002
【特許請求の範囲】
【請求項１】
ＩＣカードに記録しているバリューを還元するバリュー還元システムであって、交通機関側システムと決済機関側システムとバリュー還元端末との間でネットワークを介してデータの送受信が可能であり、
前記交通機関側システムは、
前記ＩＣカードに自動的に充当したバリューを請求データとして前記決済機関側システムに送信する装置からなり、
前記バリュー還元端末は、
前記ＩＣカードから残りのバリューを読み取り、それを前記決済機関側システムに送信する端末であり、
前記決済機関側システムは、
前記交通機関側システムから受信した前記請求データの前記充当したバリューを、前記ＩＣカードを有する利用者のカード利用として記録し、前記バリュー還元端末から受信した残りのバリューで、前記記録したバリューを減算し、その結果を前記利用者のカード利用として更新する装置からなる
ことを特徴とするバリュー還元システム。
【請求項２】
前記交通機関側システムは、
前記ＩＣカードからカード識別情報とバリューとを読み取り、前記ＩＣカードに対して所定のバリューを充当する装置と、
前記読み取ったカード識別情報と前記充当したバリューとを請求データとして前記決済機関側システムに対して送信する装置からなる
ことを特徴とする請求項１に記載のバリュー還元システム。
【請求項３】
前記バリュー還元端末は、カード識別情報と残りのバリューとを読み取り、前記カード識別情報と前記残りのバリューとを前記決済機関側システムに送信する端末である、
ことを特徴とする請求項１又は請求項２に記載のバリュー還元システム。
【請求項４】
前記決済機関側システムは、
前記交通機関側システムから受信した請求データのカード識別情報に関連づけられたクレジットカード番号をクレジットカード番号データベースから抽出し、そのクレジットカード番号のカード利用として前記充当したバリューをクレジットカード利用データベースに記録し、
前記バリュー還元端末から受信した前記請求データのカード識別情報に関連づけられた前記記録したバリューを前記クレジットカード利用データベースから抽出し、
前記バリュー還元端末から受信した前記残りのバリューで前記記録したバリューを減算し、その結果を前記クレジットカード利用データベースに於ける前記クレジットカード番号のカード利用として更新する装置からなる、
ことを特徴とする請求項１から請求項３のいずれかに記載のバリュー還元システム。
【請求項５】
前記交通機関側システムは、
前記ＩＣカードからカード識別情報とバリューとを読み取り、前記ＩＣカードに対して所定のバリューを充当する装置と、
前記読み取ったカード識別情報に関連づけられた仮想ＩＤを前記交通機関側仮想ＩＤデータベースから抽出し、前記仮想ＩＤと前記充当したバリューとを請求データとして前記決済機関側システムに対して送信する装置からなる、
ことを特徴とする請求項１に記載のバリュー還元システム。
【請求項６】
前記バリュー還元端末は、
仮想ＩＤと残りのバリューとを前記ＩＣカードから読み取り、前記残りのバリューと前記カード識別情報とを前記決済機関側システムに送信する端末である、
ことを特徴とする請求項１又は請求項５に記載のバリュー還元システム。
【請求項７】
前記バリュー還元端末は、
カード識別情報と残りのバリューとを前記ＩＣカードから読み取り、前記カード識別情報を前記交通機関側システムに送信し、前記交通機関側システムから前記カード識別情報に関連づけられた仮想ＩＤを受信し、前記仮想ＩＤと前記残りのバリューとを前記決済機関側システムに送信する端末である、
ことを特徴とする請求項１又は請求項５に記載のバリュー還元システム。
【請求項８】
前記決済機関側システムは、
前記交通機関側システムから受信した請求データの仮想ＩＤに関連づけられたクレジットカード番号を決済機関側仮想ＩＤデータベースから抽出し、そのクレジットカード番号のカード利用として前記請求データの充当したバリューをクレジットカード利用データベースに記録し、
前記バリュー還元端末から受信した前記仮想ＩＤに関連づけられた前記クレジットカード番号を前記決済機関側仮想ＩＤデータベースから抽出し、そのクレジットカード番号に関連づけられた前記記録したバリューを前記クレジットカード利用データベースから抽出し、
前記バリュー還元端末から受信した前記残りのバリューで前記記録したバリューを減算し、その結果を前記クレジットカード利用データベースに於ける前記クレジットカード番号のカード利用として更新する装置からなる、
ことを特徴とする請求項１、請求項５から請求項７のいずれかに記載のバリュー還元システム。
【請求項９】
ＩＣカードに記録しているバリューを還元するバリュー還元システムであって、交通機関側システムと決済機関側システムとバリュー還元端末との間でネットワークを介してデータの送受信が可能であり、
前記バリュー還元端末は、
前記ＩＣカードから残りのバリューを読み取り、それを前記交通機関側システムに送信する端末であり、
前記交通機関側システムは、
前記バリュー還元端末から受信した残りのバリューで前記ＩＣカードに自動的に充当したバリューを減算し、その結果のバリューを請求データとして前記決済機関側システムに送信する、又は、前記ＩＣカードに自動的に充当したバリューを請求データとし、前記バリュー還元端末から受信した残りのバリューをマイナスの請求データとして前記決済機関側システムに送信する装置からなり、
前記決済機関側システムは、
前記交通機関側システムから受信した前記請求データに於けるバリューを、前記ＩＣカードを有する利用者のカード利用として記録する装置からなる
ことを特徴とするバリュー還元システム。
【請求項１０】
前記バリュー還元端末は、
前記ＩＣカードに記録されたカード識別情報と残りのバリューとを読み取り、前記カード識別情報と前記残りのバリューとを前記交通機関側システムに送信する端末である、
ことを特徴とする請求項９に記載のバリュー還元システム。
【請求項１１】
前記交通機関側システムは、
前記ＩＣカードからカード識別情報とバリューとを読み取り、前記ＩＣカードに対して所定のバリューを充当する装置と、
前記バリュー還元端末から受信したカード識別情報と同一のカード識別情報を有する前記ＩＣカードに充当したバリューを、前記バリュー還元端末から受信した残りのバリューで減算し、その結果のバリューを請求データとして前記決済機関側システムに送信する、又は、前記バリュー還元端末から受信したカード識別情報と同一のカード識別情報を有する前記ＩＣカードに充当したバリューを請求データとして前記決済機関側システムに送信し、前記バリュー還元端末から受信した残りのバリューをマイナスの請求データとして前記決済機関側システムに送信する、
ことを特徴とする請求項９又は請求項１０に記載のバリュー還元システム。
【請求項１２】
前記交通機関側システムは、
前記ＩＣカードからカード識別情報とバリューとを読み取り、前記ＩＣカードに対して所定のバリューを充当する装置と、
前記読み取ったカード識別情報に関連づけられた仮想ＩＤを交通機関側仮想ＩＤデータベースから抽出し、前記バリュー還元端末から受信した残りのバリューで前記ＩＣカードに自動的に充当したバリューを減算し、その結果のバリューと前記抽出した仮想ＩＤとを請求データとして前記決済機関側システムに送信する、又は、前記ＩＣカードに充当したバリューと前記抽出した仮想ＩＤとを請求データとし、前記バリュー還元端末から受信した残りのバリューと前記抽出した仮想ＩＤとをマイナスの請求データとして前記決済機関側システムに送信する、
ことを特徴とする請求項９又は請求項１０に記載のバリュー還元システム。
【請求項１３】
ＩＣカードに記録しているバリューを還元するバリュー還元システムであって、交通機関側システムと決済機関側システムとバリュー還元端末とがネットワークを介してデータの送受信が可能であり、
前記交通機関側システムは、
前記ＩＣカードからカード識別情報とバリューとを読み取り、前記読み取ったバリューが予め定められたバリューより少ない場合には前記ＩＣカードに対して所定のバリューを充当する装置と、
前記読み取ったカード識別情報と前記充当したバリューとを請求データとして前記決済機関側システムに対して送信する装置と、を有しており、
前記バリュー還元端末は、
前記ＩＣカードからカード識別情報と残りのバリューとを読み取り、それらを前記決済機関側システムに送信する端末であり、
前記決済機関側システムは、
前記交通機関側システムから受信した前記請求データの前記カード識別情報に関連づけられたクレジットカード番号をクレジットカード番号データベースから抽出し、抽出した前記クレジットカード番号のカード利用として前記請求データの充当したバリューをクレジットカード利用データベースに記録し、前記バリュー還元端末から受信した前記カード識別情報に関連づけられたクレジットカード番号を抽出し、抽出した前記クレジットカード番号に関連づけられた前記記録したバリューを前記クレジットカード利用データベースから抽出し、前記バリュー還元端末から受信した前記残りのバリューで前記記録したバリューを減算し、その結果を前記クレジットカード利用データベースに於ける前記クレジットカード番号のカード利用として更新する装置と、
を有することを特徴とするバリュー還元システム。
【請求項１４】
ＩＣカードに記録しているバリューを還元するバリュー還元システムであって、交通機関側システムと決済機関側システムとバリュー還元端末とがネットワークを介してデータの送受信が可能であり、
前記交通機関側システムは、
前記ＩＣカードからカード識別情報とバリューとを読み取り、前記読み取ったバリューが予め定められたバリューより少ない場合には前記ＩＣカードに対して所定のバリューを充当する装置と、
前記読み取ったカード識別情報に関連づけられた仮想ＩＤを交通機関側仮想ＩＤデータベースから抽出し、前記抽出した仮想ＩＤと前記充当したバリューとを請求データとして前記決済機関側システムに対して送信する装置と、を有しており、
前記バリュー還元端末は、
前記ＩＣカードから仮想ＩＤと残りのバリューとを読み取り、それらを前記決済機関側システムに送信する端末であり、
前記決済機関側システムは、
前記交通機関側システムから受信した前記請求データの前記仮想ＩＤに関連づけられたクレジットカード番号を決済機関側仮想ＩＤデータベースから抽出し、抽出した前記クレジットカード番号のカード利用として前記請求データに於ける前記充当したバリューをクレジットカード利用データベースに記録し、前記バリュー還元端末から受信した前記仮想ＩＤに関連づけられたクレジットカード番号を前記決済機関側仮想ＩＤデータベースから抽出し、抽出した前記クレジットカード番号に関連づけられた前記記録したバリューを前記クレジットカード利用データベースから抽出し、前記バリュー還元端末から受信した前記残りのバリューで前記記録したバリューを減算し、その結果を前記クレジットカード利用データベースに於ける前記クレジットカード番号のカード利用として更新する装置と、
を有することを特徴とするバリュー還元システム。
【請求項１５】
ＩＣカードに記録しているバリューを還元するバリュー還元システムであって、交通機関側システムと決済機関側システムとバリュー還元端末とがネットワークを介してデータの送受信が可能であり、
前記交通機関側システムは、
前記ＩＣカードからカード識別情報とバリューとを読み取り、前記読み取ったバリューが予め定められたバリューより少ない場合には所定のバリューを充当する装置と、
前記読み取ったカード識別情報に関連づけられた仮想ＩＤを交通機関側仮想ＩＤデータベースから抽出し、前記抽出した仮想ＩＤと前記ＩＣカードに対して充当したバリューとを請求データとして前記決済機関側システムに対して送信する装置と、を有しており、
前記バリュー還元端末は、
前記ＩＣカードからカード識別情報と残りのバリューとを読み取り、前記カード識別情報を前記交通機関側システムに送信し、前記交通機関側システムから前記カード識別情報に関連づけられた仮想ＩＤを受信し、前記仮想ＩＤと前記残りのバリューとを前記決済機関側システムに送信する端末であり、
前記決済機関側システムは、
前記交通機関側システムから受信した前記請求データの前記仮想ＩＤに関連づけられたクレジットカード番号を決済機関側仮想ＩＤデータベースから抽出し、抽出した前記クレジットカード番号のカード利用として前記請求データに於ける前記充当したバリューをクレジットカード利用データベースに記録し、前記バリュー還元端末から受信した前記仮想ＩＤに関連づけられたクレジットカード番号を前記決済機関側仮想ＩＤデータベースから抽出し、抽出した前記クレジットカード番号に関連づけられた前記記録したバリューを前記クレジットカード利用データベースから抽出し、前記バリュー還元端末から受信した前記残りのバリューで前記記録したバリューを減算し、その結果を前記クレジットカード利用データベースに於ける前記クレジットカード番号のカード利用として更新する装置と、
を有することを特徴とするバリュー還元システム。
【請求項１６】
ＩＣカードに記録しているバリューを還元するバリュー還元システムであって、交通機関側システムと決済機関側システムとバリュー還元端末とがネットワークを介してデータの送受信が可能であり、
前記バリュー還元端末は、
前記ＩＣカードからカード識別情報と残りのバリューとを読み取り、それらを前記交通機関側システムに送信する端末であり、
前記交通機関側システムは、
前記ＩＣカードからカード識別情報とバリューとを読み取り、前記読み取ったバリューが予め定められたバリューより少ない場合には前記ＩＣカードに対して所定のバリューを充当する装置と、
前記バリュー還元端末から受信したカード識別情報と同一のカード識別情報を有する前記ＩＣカードに充当したバリューを、前記バリュー還元端末から受信した残りのバリューで減算し、その結果のバリューを請求データとして前記決済機関側システムに送信する、又は、前記バリュー還元端末から受信したカード識別情報と同一のカード識別情報を有する前記ＩＣカードに充当したバリューを請求データとして前記決済機関側システムに送信し、前記バリュー還元端末から受信した残りのバリューをマイナスの請求データとして前記決済機関側システムに送信する装置と、を有しており、
前記決済機関側システムは、
前記交通機関側システムから受信した前記請求データに於けるバリューを、前記ＩＣカードを有する利用者のカード利用として記録する装置からなる、
ことを特徴とするバリュー還元システム。
【請求項１７】
ＩＣカードに記録しているバリューを還元するバリュー還元システムであって、交通機関側システムと決済機関側システムとバリュー還元端末とがネットワークを介してデータの送受信が可能であり、
前記バリュー還元端末は、
前記ＩＣカードからカード識別情報と残りのバリューとを読み取り、それらを前記交通機関側システムに送信する端末であり、
前記交通機関側システムは、
前記ＩＣカードからカード識別情報とバリューとを読み取り、前記読み取ったバリューが予め定められたバリューより少ない場合には前記ＩＣカードに対して所定のバリューを充当する装置と、
前記読み取ったカード識別情報に関連づけられた仮想ＩＤを交通機関側仮想ＩＤデータベースから抽出し、前記バリュー還元端末から受信した残りのバリューで前記ＩＣカードに自動的に充当したバリューを減算し、その結果のバリューと前記抽出した仮想ＩＤとを請求データとして前記決済機関側システムに送信する、又は、前記ＩＣカードに充当したバリューと前記抽出した仮想ＩＤとを請求データとし、前記バリュー還元端末から受信した残りのバリューと前記抽出した仮想ＩＤとをマイナスの請求データとして前記決済機関側システムに送信する装置と、を有しており、
前記決済機関側システムは、
前記交通機関側システムから受信した前記請求データに於けるバリューを、前記ＩＣカードを有する利用者のカード利用として記録する装置からなる、
ことを特徴とするバリュー還元システム。
【請求項１８】
オートチャージ方式で交通機関の利用の請求を行うシステムで用いる決済機関側システムであって、交通機関側システムとバリュー還元端末との間でネットワークを介してデータの送受信が可能であり、
前記決済機関側システムは、
前記交通機関側システムでＩＣカードに自動的に充当したバリューを請求データとして受信し、前記バリュー還元端末で前記ＩＣカードから読み取った残りのバリューを前記バリュー還元端末から受信し、前記交通機関側システムから受信した前記請求データの前記充当したバリューを、前記ＩＣカードを有する利用者のカード利用として記録し、前記バリュー還元端末から受信した前記残りのバリューで、前記記録したバリューを減算し、その結果を前記利用者のカード利用として更新する装置からなる、
ことを特徴とする決済機関側システム。
【請求項１９】
オートチャージ方式で交通機関の利用の請求を行うシステムで用いる決済機関側システムであって、交通機関側システムと前記バリュー還元端末との間でネットワークを介してデータの送受信が可能であり、
前記決済機関側システムは、
前記交通機関側システムでＩＣカードに自動的に充当したバリューと前記ＩＣカードに記録しているカード識別情報とを請求データとして前記交通機関側システムから受信し、
前記バリュー還元端末で前記ＩＣカードから読み取ったカード識別情報と残りのバリューとを前記バリュー還元端末から受信し、
前記交通機関側システムから受信した前記請求データのカード識別情報に関連づけられたクレジットカード番号を抽出し、前記交通機関側システムから受信した前記請求データの前記充当したバリューを、前記抽出したクレジットカード番号に基づいて前記ＩＣカードを有する利用者のカード利用として記録し、
前記バリュー還元端末から受信した前記カード識別情報に関連づけられたクレジットカード番号を抽出し、前記バリュー還元端末から受信した前記残りのバリューで、前記記録したバリューを減算し、その結果を前記抽出したクレジットカード番号のカード利用として更新する装置からなる、
ことを特徴とする決済機関側システム。
【請求項２０】
オートチャージ方式で交通機関の利用の請求を行うシステムで用いる決済機関側システムであって、交通機関側システムとバリュー還元端末との間でネットワークを介してデータの送受信が可能であり、
前記決済機関側システムは、
前記交通機関側システムでＩＣカードに自動的に充当したバリューと前記ＩＣカードに記録しているカード識別情報に関連づけられた仮想ＩＤとを請求データとして前記交通機関側システムから受信し、
前記バリュー還元端末で前記ＩＣカードから読み取った仮想ＩＤと残りのバリューとを前記バリュー還元端末から受信し、
前記交通機関側システムから受信した前記請求データの仮想ＩＤに関連づけられたクレジットカード番号を抽出し、前記交通機関側システムから受信した前記充当したバリューを、前記抽出したクレジットカード番号に基づいて前記ＩＣカードを有する利用者のカード利用として記録し、
前記バリュー還元端末から受信した前記仮想ＩＤに関連づけられたクレジットカード番号を抽出し、前記バリュー還元端末から受信した前記残りのバリューで、前記記録したバリューを減算し、その結果を前記抽出したクレジットカード番号のカード利用として更新する装置からなる、
ことを特徴とする決済機関側システム。
【請求項２１】
オートチャージ方式で交通機関の利用の請求を行うシステムで用いる決済機関側システムであって、交通機関側システムとバリュー還元端末との間でネットワークを介してデータの送受信が可能であり、
前記決済機関側システムは、
前記交通機関側システムでＩＣカードに自動的に充当したバリューと前記ＩＣカードに記録しているカード識別情報に関連づけられた仮想ＩＤとを請求データとして前記交通機関側システムから受信し、
前記バリュー還元端末で前記ＩＣカードから読み取ったカード識別情報に基づいて、前記交通機関側システムから前記バリュー還元端末が受信した仮想ＩＤと残りのバリューとを前記バリュー還元端末から受信し、
前記交通機関側システムから受信した前記請求データの仮想ＩＤに関連づけられたクレジットカード番号を抽出し、前記交通機関側システムから受信した前記充当したバリューを、前記抽出したクレジットカード番号に基づいて前記ＩＣカードを有する利用者のカード利用として記録し、
前記バリュー還元端末から受信した前記仮想ＩＤに関連づけられたクレジットカード番号を抽出し、前記バリュー還元端末から受信した前記残りのバリューで、前記記録したバリューを減算し、その結果を前記抽出したクレジットカード番号のカード利用として更新する装置からなる、
ことを特徴とする決済機関側システム。
【請求項２２】
オートチャージ方式で交通機関の利用の請求を行うシステムで用いる交通機関側システムであって、決済機関側システムとバリュー還元端末との間でネットワークを介してデータの送受信が可能であり、
前記交通機関側システムは、
前記ＩＣカードからカード識別情報とバリューとを読み取り、前記ＩＣカードに対して所定のバリューを充当する装置と、
前記バリュー還元端末から受信したカード識別情報と同一のカード識別情報を有する前記ＩＣカードに充当したバリューを、前記バリュー還元端末から受信した残りのバリューで減算し、その結果のバリューを請求データとして前記決済機関側システムに送信する、又は、前記バリュー還元端末から受信したカード識別情報と同一のカード識別情報を有する前記ＩＣカードに充当したバリューを請求データとして前記決済機関側システムに送信し、前記バリュー還元端末から受信した残りのバリューをマイナスの請求データとして前記決済機関側システムに送信する装置と、からなる
ことを特徴とする交通機関側システム。
【請求項２３】
オートチャージ方式で交通機関の利用の請求を行うシステムで用いる交通機関側システムであって、決済機関側システムとバリュー還元端末との間でネットワークを介してデータの送受信が可能であり、
前記交通機関側システムは、
前記ＩＣカードからカード識別情報とバリューとを読み取り、前記ＩＣカードに対して所定のバリューを充当する装置と、
前記読み取ったカード識別情報に関連づけられた仮想ＩＤを交通機関側仮想ＩＤデータベースから抽出し、前記バリュー還元端末から受信した残りのバリューで前記ＩＣカードに自動的に充当したバリューを減算し、その結果のバリューと前記抽出した仮想ＩＤとを請求データとして前記決済機関側システムに送信する、又は、前記ＩＣカードに充当したバリューと前記抽出した仮想ＩＤとを請求データとし、前記バリュー還元端末から受信した残りのバリューと前記抽出した仮想ＩＤとをマイナスの請求データとして前記決済機関側システムに送信する装置と、からなる
ことを特徴とする交通機関側システム。
【請求項２４】
交通機関側システムと決済機関側システムとバリュー還元端末との間でネットワークを介してデータの送受信を行うことで前記ＩＣカードに記録しているバリューの還元を利用者に行うバリュー還元方法であって、
前記利用者が前記交通機関側システムに読み取らせたＩＣカードに自動的に充当したバリューを、請求データとして前記交通機関側システムから前記決済機関側システムに送信し、
前記送信した請求データを前記決済機関側システムで受信し、
前記請求データの前記充当したバリューを、前記ＩＣカードを有する利用者のカード利用として前記決済機関側システムがクレジットカード利用データベースに記録し、
前記バリュー還元端末が読み取ったＩＣカードに記録された残りのバリューを前記バリュー還元端末から前記決済機関側システムに送信し、
前記バリュー還元端末から受信した前記残りのバリューで、前記クレジットカード利用データベースにカード利用として記録した前記記録したバリューを減算し、その結果を前記クレジットカード番号のカード利用として前記決済機関側システムのカード利用データベースを更新する、
ことを特徴とするバリュー還元方法。
【請求項２５】
交通機関側システムと決済機関側システムとバリュー還元端末との間でネットワークを介してデータの送受信を行うことで前記ＩＣカードに記録しているバリューの還元を利用者に行うバリュー還元方法であって、
前記利用者が前記交通機関側システムに読み取らせたＩＣカードに自動的に充当したバリューを、前記ＩＣカードから読み取ったカード識別情報に関連づけて交通機関利用データベースに記録し、
前記バリュー還元端末が読み取ったＩＣカードに記録された残りのバリューとカード識別情報とを前記バリュー還元端末から前記交通機関側システムに送信し、前記残りのバリューと前記カード識別情報とを前記バリュー還元端末から受信し、
前記受信したカード識別情報に対応する前記記録したバリューを前記交通機関利用データベースから抽出し、
前記抽出したバリューから前記受信した残りのバリューを減算し、その結果のバリューを請求データとして前記決済機関側システムに送信し、又は、前記抽出したバリューを請求データとし、前記バリュー還元端末から受信した残りのバリューをマイナスの請求データとして前記決済機関側システムに送信し、
前記送信した請求データを前記決済機関側システムで受信し、
前記請求データに於けるバリューを、前記ＩＣカードを有する利用者のカード利用として前記決済機関側システムがクレジットカード利用データベースに記録する、
ことを特徴とするバリュー還元方法。
【発明の詳細な説明】
【０００１】
【発明の属する技術分野】
本発明は、複数のバリューを記録しているＩＣカードのバリューを還元することが可能な、バリュー還元システム及びバリュー還元方法に関する。
【０００２】
【従来の技術】
利用者が何らかの施設や機関（特に交通機関）を利用した際に支払う料金を、プリペイド方式によるＩＣカード（主に非接触型）を用いて決済を行う仕組みが存在する。しかしプリペイド方式には予め利用者がＩＣカードに金額を充当しておく必要がある等の問題から、下記特許文献１に開示されているように、オートチャージ方式による決済方法が発明された。
【０００３】
オートチャージ方式とは、特許文献１に開示のように、利用者が改札口等でＩＣカードを読み取らせると、そのバリュー（バリューとはＩＣカードに記録されている金額のデータを言う）が一定未満である場合には、予め定められた金額のバリューをＩＣカードに自動的に充当し、所定期間経過後に当該利用者に対して充当したバリューに対する金額の請求をクレジットカードや口座引き落とし等によって行う仕組みである。
【０００４】
【特許文献１】
特開２００２−３３４２８４号公報
【特許文献２】
特願２００３−１４９７３９号公報
【０００５】
【発明が解決しようとする課題】
このようなシステムは、上記特許文献２に開示のように、ＩＣカード内に複数国の通貨のデータ（バリュー）を記録可能にすることも出来、日本国内の事業者（特に交通機関の事業者）のみならず、多国間の事業者（特に交通機関の事業者）間で用いることが可能である点で非常に利便性がある。しかしその国から出国をしてしまうと、その国の通貨が使用できないので、ＩＣカードに記録されているバリューは、無駄になってしまう。
【０００６】
例えば日本とシンガポール、双方の交通機関でＩＣカードの利用が行える場合、ＩＣカードには、当初は日本国内の通貨に対応したバリューが記録されているが、それをシンガポールの交通機関の自動改札機に読み取らせることによって、オートチャージ方式によってシンガポール通貨に対応したバリューが当該ＩＣカードに自動的に所定金額（所定金額、シンガポール通貨。例えば１０シンガポールドル）に対応したバリューが記録されることとなる。その後利用者がシンガポールで当該ＩＣカードを利用した結果、最終的にＩＣカードに３シンガポールドルが残りのバリューとして記録している場合（即ち余った場合）、従来はＩＣカードの返還をしなければその残りのバリューに対応した金額の支払いが受けることが出来ない。
【０００７】
しかし上述したように当該ＩＣカードは複数国で利用可能であることから、日本に於いても利用できるので、実際にはそのＩＣカードを返還することが出来ないので、利用者はその余ったバリューをあきらめざるをえなかった。
【０００８】
【課題を解決するための手段】
そこで本発明者は、同一のＩＣカードが複数国で利用できる場合、その余った通貨相当額のバリューの還元を可能とする、バリュー還元システム及びバリュー還元方法を発明した。
【０００９】
請求項１の発明は、
ＩＣカードに記録しているバリューを還元するバリュー還元システムであって、交通機関側システムと決済機関側システムとバリュー還元端末との間でネットワークを介してデータの送受信が可能であり、前記交通機関側システムは、前記ＩＣカードに自動的に充当したバリューを請求データとして前記決済機関側システムに送信する装置からなり、前記バリュー還元端末は、前記ＩＣカードから残りのバリューを読み取り、それを前記決済機関側システムに送信する端末であり、前記決済機関側システムは、前記交通機関側システムから受信した前記請求データの前記充当したバリューを、前記ＩＣカードを有する利用者のカード利用として記録し、前記バリュー還元端末から受信した残りのバリューで、前記記録したバリューを減算し、その結果を前記利用者のカード利用として更新する装置からなるバリュー還元システムである。
【００１０】
請求項９の発明は、
ＩＣカードに記録しているバリューを還元するバリュー還元システムであって、交通機関側システムと決済機関側システムとバリュー還元端末との間でネットワークを介してデータの送受信が可能であり、前記バリュー還元端末は、前記ＩＣカードから残りのバリューを読み取り、それを前記交通機関側システムに送信する端末であり、前記交通機関側システムは、前記バリュー還元端末から受信した残りのバリューで前記ＩＣカードに自動的に充当したバリューを減算し、その結果のバリューを請求データとして前記決済機関側システムに送信する、又は、前記ＩＣカードに自動的に充当したバリューを請求データとし、前記バリュー還元端末から受信した残りのバリューをマイナスの請求データとして前記決済機関側システムに送信する装置からなり、前記決済機関側システムは、前記交通機関側システムから受信した前記請求データに於けるバリューを、前記ＩＣカードを有する利用者のカード利用として記録する装置からなるバリュー還元システムである。
【００１１】
請求項１０の発明は、
前記バリュー還元端末は、前記ＩＣカードに記録されたカード識別情報と残りのバリューとを読み取り、前記カード識別情報と前記残りのバリューとを前記交通機関側システムに送信する端末である、バリュー還元システムである。
【００１２】
請求項１８の発明は、
オートチャージ方式で交通機関の利用の請求を行うシステムで用いる決済機関側システムであって、交通機関側システムとバリュー還元端末との間でネットワークを介してデータの送受信が可能であり、前記決済機関側システムは、前記交通機関側システムでＩＣカードに自動的に充当したバリューを請求データとして受信し、前記バリュー還元端末で前記ＩＣカードから読み取った残りのバリューを前記バリュー還元端末から受信し、前記交通機関側システムから受信した前記請求データの前記充当したバリューを、前記ＩＣカードを有する利用者のカード利用として記録し、前記バリュー還元端末から受信した前記残りのバリューで、前記記録したバリューを減算し、その結果を前記利用者のカード利用として更新する装置からなる決済機関側システムである。
【００１３】
請求項２５の発明は、
交通機関側システムと決済機関側システムとバリュー還元端末との間でネットワークを介してデータの送受信を行うことで前記ＩＣカードに記録しているバリューの還元を利用者に行うバリュー還元方法であって、前記利用者が前記交通機関側システムに読み取らせたＩＣカードに自動的に充当したバリューを、請求データとして前記交通機関側システムから前記決済機関側システムに送信し、前記送信した請求データを前記決済機関側システムで受信し、前記請求データの前記充当したバリューを、前記ＩＣカードを有する利用者のカード利用として前記決済機関側システムがクレジットカード利用データベースに記録し、前記バリュー還元端末が読み取ったＩＣカードに記録された残りのバリューを前記バリュー還元端末から前記決済機関側システムに送信し、前記バリュー還元端末から受信した前記残りのバリューで、前記クレジットカード利用データベースにカード利用として記録した前記記録したバリューを減算し、その結果を前記クレジットカード番号のカード利用として前記決済機関側システムのカード利用データベースを更新する、バリュー還元方法である。
【００１４】
これらの発明によって、オートチャージ方式による交通機関の決済の場合であっても、余ったバリューを利用者が諦める、或いはＩＣカードを還元する等を要せずに、利用者がＩＣカードを有したままでそのバリュー還元を受けることが可能となる。
【００１５】
請求項２の発明は、
前記交通機関側システムは、前記ＩＣカードからカード識別情報とバリューとを読み取り、前記ＩＣカードに対して所定のバリューを充当する装置と、前記読み取ったカード識別情報と前記充当したバリューとを請求データとして前記決済機関側システムに対して送信する装置からなるバリュー還元システムである。
【００１６】
請求項３の発明は、
前記バリュー還元端末は、カード識別情報と残りのバリューとを読み取り、前記カード識別情報と前記残りのバリューとを前記決済機関側システムに送信する端末である、バリュー還元システムである。
【００１７】
請求項４の発明は、
前記決済機関側システムは、前記交通機関側システムから受信した請求データのカード識別情報に関連づけられたクレジットカード番号をクレジットカード番号データベースから抽出し、そのクレジットカード番号のカード利用として前記充当したバリューをクレジットカード利用データベースに記録し、前記バリュー還元端末から受信した前記請求データのカード識別情報に関連づけられた前記記録したバリューを前記クレジットカード利用データベースから抽出し、前記バリュー還元端末から受信した前記残りのバリューで前記記録したバリューを減算し、その結果を前記クレジットカード利用データベースに於ける前記クレジットカード番号のカード利用として更新する装置からなる、バリュー還元システムである。
【００１８】
請求項１３の発明は、
ＩＣカードに記録しているバリューを還元するバリュー還元システムであって、交通機関側システムと決済機関側システムとバリュー還元端末とがネットワークを介してデータの送受信が可能であり、前記交通機関側システムは、前記ＩＣカードからカード識別情報とバリューとを読み取り、前記読み取ったバリューが予め定められたバリューより少ない場合には前記ＩＣカードに対して所定のバリューを充当する装置と、前記読み取ったカード識別情報と前記充当したバリューとを請求データとして前記決済機関側システムに対して送信する装置と、を有しており、前記バリュー還元端末は、前記ＩＣカードからカード識別情報と残りのバリューとを読み取り、それらを前記決済機関側システムに送信する端末であり、前記決済機関側システムは、前記交通機関側システムから受信した前記請求データの前記カード識別情報に関連づけられたクレジットカード番号をクレジットカード番号データベースから抽出し、抽出した前記クレジットカード番号のカード利用として前記請求データの充当したバリューをクレジットカード利用データベースに記録し、前記バリュー還元端末から受信した前記カード識別情報に関連づけられたクレジットカード番号を抽出し、抽出した前記クレジットカード番号に関連づけられた前記記録したバリューを前記クレジットカード利用データベースから抽出し、前記バリュー還元端末から受信した前記残りのバリューで前記記録したバリューを減算し、その結果を前記クレジットカード利用データベースに於ける前記クレジットカード番号のカード利用として更新する装置と、を有するバリュー還元システムである。
【００１９】
請求項１９の発明は、
オートチャージ方式で交通機関の利用の請求を行うシステムで用いる決済機関側システムであって、交通機関側システムと前記バリュー還元端末との間でネットワークを介してデータの送受信が可能であり、前記決済機関側システムは、前記交通機関側システムでＩＣカードに自動的に充当したバリューと前記ＩＣカードに記録しているカード識別情報とを請求データとして前記交通機関側システムから受信し、前記バリュー還元端末で前記ＩＣカードから読み取ったカード識別情報と残りのバリューとを前記バリュー還元端末から受信し、前記交通機関側システムから受信した前記請求データのカード識別情報に関連づけられたクレジットカード番号を抽出し、前記交通機関側システムから受信した前記請求データの前記充当したバリューを、前記抽出したクレジットカード番号に基づいて前記ＩＣカードを有する利用者のカード利用として記録し、前記バリュー還元端末から受信した前記カード識別情報に関連づけられたクレジットカード番号を抽出し、前記バリュー還元端末から受信した前記残りのバリューで、前記記録したバリューを減算し、その結果を前記抽出したクレジットカード番号のカード利用として更新する装置からなる決済機関側システムである。
【００２０】
これらの発明によって、カード識別情報と充当したバリューとを決済機関側システムに送信することでオートチャージ方式での決済を行う場合であっても、ＩＣカードに記録してある、余ったバリューの還元を受けることが可能となる。
【００２１】
請求項５の発明は、
前記交通機関側システムは、前記ＩＣカードからカード識別情報とバリューとを読み取り、前記ＩＣカードに対して所定のバリューを充当する装置と、前記読み取ったカード識別情報に関連づけられた仮想ＩＤを前記交通機関側仮想ＩＤデータベースから抽出し、前記仮想ＩＤと前記充当したバリューとを請求データとして前記決済機関側システムに対して送信する装置からなる、バリュー還元システムである。
【００２２】
請求項６の発明は、
前記バリュー還元端末は、仮想ＩＤと残りのバリューとを前記ＩＣカードから読み取り、前記残りのバリューと前記カード識別情報とを前記決済機関側システムに送信する端末である、バリュー還元システムである。
【００２３】
請求項８の発明は、
前記決済機関側システムは、前記交通機関側システムから受信した請求データの仮想ＩＤに関連づけられたクレジットカード番号を決済機関側仮想ＩＤデータベースから抽出し、そのクレジットカード番号のカード利用として前記請求データの充当したバリューをクレジットカード利用データベースに記録し、前記バリュー還元端末から受信した前記仮想ＩＤに関連づけられた前記クレジットカード番号を前記決済機関側仮想ＩＤデータベースから抽出し、そのクレジットカード番号に関連づけられた前記記録したバリューを前記クレジットカード利用データベースから抽出し、前記バリュー還元端末から受信した前記残りのバリューで前記記録したバリューを減算し、その結果を前記クレジットカード利用データベースに於ける前記クレジットカード番号のカード利用として更新する装置からなる、バリュー還元システムである。
【００２４】
請求項１４の発明は、
ＩＣカードに記録しているバリューを還元するバリュー還元システムであって、交通機関側システムと決済機関側システムとバリュー還元端末とがネットワークを介してデータの送受信が可能であり、前記交通機関側システムは、前記ＩＣカードからカード識別情報とバリューとを読み取り、前記読み取ったバリューが予め定められたバリューより少ない場合には前記ＩＣカードに対して所定のバリューを充当する装置と、前記読み取ったカード識別情報に関連づけられた仮想ＩＤを交通機関側仮想ＩＤデータベースから抽出し、前記抽出した仮想ＩＤと前記充当したバリューとを請求データとして前記決済機関側システムに対して送信する装置と、を有しており、前記バリュー還元端末は、前記ＩＣカードから仮想ＩＤと残りのバリューとを読み取り、それらを前記決済機関側システムに送信する端末であり、前記決済機関側システムは、前記交通機関側システムから受信した前記請求データの前記仮想ＩＤに関連づけられたクレジットカード番号を決済機関側仮想ＩＤデータベースから抽出し、抽出した前記クレジットカード番号のカード利用として前記請求データに於ける前記充当したバリューをクレジットカード利用データベースに記録し、前記バリュー還元端末から受信した前記仮想ＩＤに関連づけられたクレジットカード番号を前記決済機関側仮想ＩＤデータベースから抽出し、抽出した前記クレジットカード番号に関連づけられた前記記録したバリューを前記クレジットカード利用データベースから抽出し、前記バリュー還元端末から受信した前記残りのバリューで前記記録したバリューを減算し、その結果を前記クレジットカード利用データベースに於ける前記クレジットカード番号のカード利用として更新する装置と、を有するバリュー還元システムである。
【００２５】
請求項２０の発明は、
オートチャージ方式で交通機関の利用の請求を行うシステムで用いる決済機関側システムであって、交通機関側システムとバリュー還元端末との間でネットワークを介してデータの送受信が可能であり、前記決済機関側システムは、前記交通機関側システムでＩＣカードに自動的に充当したバリューと前記ＩＣカードに記録しているカード識別情報に関連づけられた仮想ＩＤとを請求データとして前記交通機関側システムから受信し、前記バリュー還元端末で前記ＩＣカードから読み取った仮想ＩＤと残りのバリューとを前記バリュー還元端末から受信し、前記交通機関側システムから受信した前記請求データの仮想ＩＤに関連づけられたクレジットカード番号を抽出し、前記交通機関側システムから受信した前記充当したバリューを、前記抽出したクレジットカード番号に基づいて前記ＩＣカードを有する利用者のカード利用として記録し、前記バリュー還元端末から受信した前記仮想ＩＤに関連づけられたクレジットカード番号を抽出し、前記バリュー還元端末から受信した前記残りのバリューで、前記記録したバリューを減算し、その結果を前記抽出したクレジットカード番号のカード利用として更新する装置からなる決済機関側システムである。
【００２６】
請求項２５の発明は、
交通機関側システムと決済機関側システムとバリュー還元端末との間でネットワークを介してデータの送受信を行うことで前記ＩＣカードに記録しているバリューの還元を利用者に行うバリュー還元方法であって、前記利用者が前記交通機関側システムに読み取らせたＩＣカードに自動的に充当したバリューを、前記ＩＣカードから読み取ったカード識別情報に関連づけて交通機関利用データベースに記録し、前記バリュー還元端末が読み取ったＩＣカードに記録された残りのバリューとカード識別情報とを前記バリュー還元端末から前記交通機関側システムに送信し、前記残りのバリューと前記カード識別情報とを前記バリュー還元端末から受信し、前記受信したカード識別情報に対応する前記記録したバリューを前記交通機関利用データベースから抽出し、前記抽出したバリューから前記受信した残りのバリューを減算し、その結果のバリューを請求データとして前記決済機関側システムに送信し、又は、前記抽出したバリューを請求データとし、前記バリュー還元端末から受信した残りのバリューをマイナスの請求データとして前記決済機関側システムに送信し、前記送信した請求データを前記決済機関側システムで受信し、前記請求データに於けるバリューを、前記ＩＣカードを有する利用者のカード利用として前記決済機関側システムがクレジットカード利用データベースに記録する、バリュー還元方法である。
【００２７】
これらの発明によって、カード識別情報に関連づけられた仮想ＩＤと充当したバリューとを決済機関側システムに送信することでオートチャージ方式での決済を行い、ＩＣカードにカード識別情報と仮想ＩＤとを記録している場合であっても、ＩＣカードに記録してある、余ったバリューの還元を受けることが可能となる。
【００２８】
請求項７の発明は、
前記バリュー還元端末は、カード識別情報と残りのバリューとを前記ＩＣカードから読み取り、前記カード識別情報を前記交通機関側システムに送信し、前記交通機関側システムから前記カード識別情報に関連づけられた仮想ＩＤを受信し、前記仮想ＩＤと前記残りのバリューとを前記決済機関側システムに送信する端末である、バリュー還元システムである。
【００２９】
請求項１５の発明は、
ＩＣカードに記録しているバリューを還元するバリュー還元システムであって、交通機関側システムと決済機関側システムとバリュー還元端末とがネットワークを介してデータの送受信が可能であり、前記交通機関側システムは、前記ＩＣカードからカード識別情報とバリューとを読み取り、前記読み取ったバリューが予め定められたバリューより少ない場合には所定のバリューを充当する装置と、前記読み取ったカード識別情報に関連づけられた仮想ＩＤを交通機関側仮想ＩＤデータベースから抽出し、前記抽出した仮想ＩＤと前記ＩＣカードに対して充当したバリューとを請求データとして前記決済機関側システムに対して送信する装置と、を有しており、前記バリュー還元端末は、前記ＩＣカードからカード識別情報と残りのバリューとを読み取り、前記カード識別情報を前記交通機関側システムに送信し、前記交通機関側システムから前記カード識別情報に関連づけられた仮想ＩＤを受信し、前記仮想ＩＤと前記残りのバリューとを前記決済機関側システムに送信する端末であり、前記決済機関側システムは、前記交通機関側システムから受信した前記請求データの前記仮想ＩＤに関連づけられたクレジットカード番号を決済機関側仮想ＩＤデータベースから抽出し、抽出した前記クレジットカード番号のカード利用として前記請求データに於ける前記充当したバリューをクレジットカード利用データベースに記録し、前記バリュー還元端末から受信した前記仮想ＩＤに関連づけられたクレジットカード番号を前記決済機関側仮想ＩＤデータベースから抽出し、抽出した前記クレジットカード番号に関連づけられた前記記録したバリューを前記クレジットカード利用データベースから抽出し、前記バリュー還元端末から受信した前記残りのバリューで前記記録したバリューを減算し、その結果を前記クレジットカード利用データベースに於ける前記クレジットカード番号のカード利用として更新する装置と、を有するバリュー還元システムである。
【００３０】
請求項２１の発明は、
オートチャージ方式で交通機関の利用の請求を行うシステムで用いる決済機関側システムであって、交通機関側システムとバリュー還元端末との間でネットワークを介してデータの送受信が可能であり、前記決済機関側システムは、前記交通機関側システムでＩＣカードに自動的に充当したバリューと前記ＩＣカードに記録しているカード識別情報に関連づけられた仮想ＩＤとを請求データとして前記交通機関側システムから受信し、前記バリュー還元端末で前記ＩＣカードから読み取ったカード識別情報に基づいて、前記交通機関側システムから前記バリュー還元端末が受信した仮想ＩＤと残りのバリューとを前記バリュー還元端末から受信し、前記交通機関側システムから受信した前記請求データの仮想ＩＤに関連づけられたクレジットカード番号を抽出し、前記交通機関側システムから受信した前記充当したバリューを、前記抽出したクレジットカード番号に基づいて前記ＩＣカードを有する利用者のカード利用として記録し、前記バリュー還元端末から受信した前記仮想ＩＤに関連づけられたクレジットカード番号を抽出し、前記バリュー還元端末から受信した前記残りのバリューで、前記記録したバリューを減算し、その結果を前記抽出したクレジットカード番号のカード利用として更新する装置からなる決済機関側システムである。
【００３１】
これらの発明によって、カード識別情報に関連づけられた仮想ＩＤと充当したバリューとを決済機関側システムに送信することでオートチャージ方式での決済を行い、ＩＣカードにカード識別情報を記録している場合であっても、ＩＣカードに記録してある、余ったバリューの還元を受けることが可能となる。
【００３２】
請求項１１の発明は、
前記交通機関側システムは、前記ＩＣカードからカード識別情報とバリューとを読み取り、前記ＩＣカードに対して所定のバリューを充当する装置と、前記バリュー還元端末から受信したカード識別情報と同一のカード識別情報を有する前記ＩＣカードに充当したバリューを、前記バリュー還元端末から受信した残りのバリューで減算し、その結果のバリューを請求データとして前記決済機関側システムに送信する、又は、前記バリュー還元端末から受信したカード識別情報と同一のカード識別情報を有する前記ＩＣカードに充当したバリューを請求データとして前記決済機関側システムに送信し、前記バリュー還元端末から受信した残りのバリューをマイナスの請求データとして前記決済機関側システムに送信する、バリュー還元システムである。
【００３３】
請求項１６の発明は、
ＩＣカードに記録しているバリューを還元するバリュー還元システムであって、交通機関側システムと決済機関側システムとバリュー還元端末とがネットワークを介してデータの送受信が可能であり、前記バリュー還元端末は、前記ＩＣカードからカード識別情報と残りのバリューとを読み取り、それらを前記交通機関側システムに送信する端末であり、前記交通機関側システムは、前記ＩＣカードからカード識別情報とバリューとを読み取り、前記読み取ったバリューが予め定められたバリューより少ない場合には前記ＩＣカードに対して所定のバリューを充当する装置と、前記バリュー還元端末から受信したカード識別情報と同一のカード識別情報を有する前記ＩＣカードに充当したバリューを、前記バリュー還元端末から受信した残りのバリューで減算し、その結果のバリューを請求データとして前記決済機関側システムに送信する、又は、前記バリュー還元端末から受信したカード識別情報と同一のカード識別情報を有する前記ＩＣカードに充当したバリューを請求データとして前記決済機関側システムに送信し、前記バリュー還元端末から受信した残りのバリューをマイナスの請求データとして前記決済機関側システムに送信する装置と、を有しており、前記決済機関側システムは、前記交通機関側システムから受信した前記請求データに於けるバリューを、前記ＩＣカードを有する利用者のカード利用として記録する装置からなる、バリュー還元システムである。
【００３４】
請求項２２の発明は、
オートチャージ方式で交通機関の利用の請求を行うシステムで用いる交通機関側システムであって、決済機関側システムとバリュー還元端末との間でネットワークを介してデータの送受信が可能であり、前記交通機関側システムは、前記ＩＣカードからカード識別情報とバリューとを読み取り、前記ＩＣカードに対して所定のバリューを充当する装置と、前記バリュー還元端末から受信したカード識別情報と同一のカード識別情報を有する前記ＩＣカードに充当したバリューを、前記バリュー還元端末から受信した残りのバリューで減算し、その結果のバリューを請求データとして前記決済機関側システムに送信する、又は、前記バリュー還元端末から受信したカード識別情報と同一のカード識別情報を有する前記ＩＣカードに充当したバリューを請求データとして前記決済機関側システムに送信し、前記バリュー還元端末から受信した残りのバリューをマイナスの請求データとして前記決済機関側システムに送信する装置と、からなる交通機関側システムである。
【００３５】
これらの発明によって、カード識別情報とバリューとを決済機関側システムに送信することでオートチャージ方式での決済を行う場合であっても、ＩＣカードに記録してある、余ったバリューの還元を受けることが可能となる。更に、ＩＣカードに記録したバリューを交通機関側システムに送信し、交通機関側でマージ処理を行うことによって、交通機関で正確な利用料金を把握することが可能となる。
【００３６】
請求項１２の発明は、
前記交通機関側システムは、前記ＩＣカードからカード識別情報とバリューとを読み取り、前記ＩＣカードに対して所定のバリューを充当する装置と、前記読み取ったカード識別情報に関連づけられた仮想ＩＤを交通機関側仮想ＩＤデータベースから抽出し、前記バリュー還元端末から受信した残りのバリューで前記ＩＣカードに自動的に充当したバリューを減算し、その結果のバリューと前記抽出した仮想ＩＤとを請求データとして前記決済機関側システムに送信する、又は、前記ＩＣカードに充当したバリューと前記抽出した仮想ＩＤとを請求データとし、前記バリュー還元端末から受信した残りのバリューと前記抽出した仮想ＩＤとをマイナスの請求データとして前記決済機関側システムに送信する、バリュー還元システムである。
【００３７】
請求項１７の発明は、
ＩＣカードに記録しているバリューを還元するバリュー還元システムであって、交通機関側システムと決済機関側システムとバリュー還元端末とがネットワークを介してデータの送受信が可能であり、前記バリュー還元端末は、前記ＩＣカードからカード識別情報と残りのバリューとを読み取り、それらを前記交通機関側システムに送信する端末であり、前記交通機関側システムは、前記ＩＣカードからカード識別情報とバリューとを読み取り、前記読み取ったバリューが予め定められたバリューより少ない場合には前記ＩＣカードに対して所定のバリューを充当する装置と、前記読み取ったカード識別情報に関連づけられた仮想ＩＤを交通機関側仮想ＩＤデータベースから抽出し、前記バリュー還元端末から受信した残りのバリューで前記ＩＣカードに自動的に充当したバリューを減算し、その結果のバリューと前記抽出した仮想ＩＤとを請求データとして前記決済機関側システムに送信する、又は、前記ＩＣカードに充当したバリューと前記抽出した仮想ＩＤとを請求データとし、前記バリュー還元端末から受信した残りのバリューと前記抽出した仮想ＩＤとをマイナスの請求データとして前記決済機関側システムに送信する装置と、を有しており、前記決済機関側システムは、前記交通機関側システムから受信した前記請求データに於けるバリューを、前記ＩＣカードを有する利用者のカード利用として記録する装置からなる、バリュー還元システムである。
【００３８】
請求項２３の発明は、
オートチャージ方式で交通機関の利用の請求を行うシステムで用いる交通機関側システムであって、決済機関側システムとバリュー還元端末との間でネットワークを介してデータの送受信が可能であり、前記交通機関側システムは、前記ＩＣカードからカード識別情報とバリューとを読み取り、前記ＩＣカードに対して所定のバリューを充当する装置と、前記読み取ったカード識別情報に関連づけられた仮想ＩＤを交通機関側仮想ＩＤデータベースから抽出し、前記バリュー還元端末から受信した残りのバリューで前記ＩＣカードに自動的に充当したバリューを減算し、その結果のバリューと前記抽出した仮想ＩＤとを請求データとして前記決済機関側システムに送信する、又は、前記ＩＣカードに充当したバリューと前記抽出した仮想ＩＤとを請求データとし、前記バリュー還元端末から受信した残りのバリューと前記抽出した仮想ＩＤとをマイナスの請求データとして前記決済機関側システムに送信する装置と、からなる交通機関側システムである。
【００３９】
これらの発明によって、仮想ＩＤとバリューとを決済機関側システムに送信することでオートチャージ方式での決済を行う場合であっても、ＩＣカードに記録してある、余ったバリューの還元を受けることが可能となる。更に、ＩＣカードに記録したバリューを交通機関側システムに送信し、交通機関側でマージ処理を行うことによって、交通機関で正確な利用料金を把握することが可能となる。
【００４０】
【発明の実施の形態】
本発明の概念図を図１に示す。利用者は各施設（例えば交通機関）に於いて共通して利用できるＩＣカード４を有している。このＩＣカード４には、特許文献２に開示しているように、複数国（例えばＡ国及びＢ国）の通貨によるバリューが記録可能である。本明細書では、利用者がＩＣカードを用いて利用する施設として、交通機関である場合を説明するが、それに限定されるものではなく、各種施設、例えば飲食店や博物館、美術館、テーマパーク等の観光施設等でも同様に実施可能である。
【００４１】
尚、本発明の５つの主な実施例を下記に説明するが、第１から第３の実施例がバリュー還元端末で読み取った、ＩＣカードに記録された残りのバリューを決済機関側システムに送信し、決済機関側システムでマージ処理を行う場合であり、第４及び第５の実施例がバリュー還元端末で読み取った、ＩＣカードに記録された残りのバリューを交通機関側システムに送信し、交通機関側システムでマージ処理を行う場合である。図１（ａ）の概念図は第１から第３の実施例の場合の概念図であり、図１（ｂ）の概念図は第４から第５の実施例の場合の概念図である。
【００４２】
第１の実施例（図２のシステム構成図、図５のフローチャート図）ではカード識別情報と充当したバリューとを決済機関側システム３に送信することでオートチャージ方式による決済を行う場合、第２の実施例（図３のシステム構成図、図６のフローチャート図）では、特許文献２のようにカード識別情報に対応づけられた仮想ＩＤと充当したバリューとを決済機関側システム３に送信することでオートチャージ方式による決済を行いＩＣカード４にカード識別情報と仮想ＩＤとを記録している場合、第３の実施例（図４のシステム構成図、図７のフローチャート図）では、特許文献２のようにカード識別情報に対応づけられた仮想ＩＤと充当したバリューとを決済機関側システム３に送信することでオートチャージ方式による決済を行いＩＣカード４にカード識別情報を記録している場合、を各々説明する。
【００４３】
又第４の実施例（図１０のシステム構成図、図１２のフローチャート図）ではカード識別情報と充当したバリューに対してマージ処理を行った後のバリューとを決済機関側システム３に送信することでオートチャージ方式による決済を行う場合、第５の実施例（図１１のシステム構成図、図１３のフローチャート図）では、特許文献２のようにカード識別情報に対応づけられた仮想ＩＤと充当したバリューに対してマージ処理を行った後のバリューとを決済機関側システム３に送信することでオートチャージ方式による決済を行う場合を各々説明する。
【００４４】
まず第１の実施例、即ちカード識別情報と充当したバリューとを決済機関側システム３に送信することでオートチャージ方式による決済を行う場合を、図２のシステム構成図を用いて詳細に説明する。バリュー還元システム１ａは、交通機関側システム２ａとバリュー還元端末５ａと決済機関側システム３ａとからなり、各システム／端末はネットワーク６を介してデータの送受信が可能である。
【００４５】
ＩＣカード４ａは、利用者が交通機関を利用する際に用いる接触型、非接触型の乗車カードであり、特定の情報を記録することが可能なカードである。ＩＣカード４ａにはＩＣチップが具備されており、ＩＣカード４ａ又は利用者を識別する情報（カード識別情報）、バリュー（金額のデータ）が記録されている。このバリューは、当該ＩＣカード４ａを利用することが可能な交通機関で用いられる各国の通貨毎に記録され、例えば日本とシンガポールでＩＣカード４ａの利用が可能な場合には、日本円とシンガポールドルのバリューが記録されている。又カード識別情報は共通の一意の識別情報であっても良いし、各国の交通機関毎に記録していても良い。更にＩＣカード４ａは、後述の実施例で説明するように、カード識別情報の他に仮想ＩＤを記録していても良い。
【００４６】
交通機関側システム２ａは、各国の交通機関の事業者が有しており、利用者がＩＣカード４ａを用いてオートチャージ方式での決済を行う場合の公知のシステム（例えば特許文献１）である。交通機関側システム２ａは、自動改札機７ａと改札制御装置８ａと管理装置９ａと交通機関利用データベース１０ａとを有している。従って上述のように日本、シンガポール双方での利用が可能な場合には、日本の交通事業者、シンガポールの交通事業者、双方に当該交通機関側システム２ａが設けられている。
【００４７】
自動改札機７ａは、利用者のＩＣカード４ａと接触、又は非接触によってＩＣカード４ａとの間で通信を行い、情報の読み取り、或いは書き込みを行う装置である。即ち利用者が駅の改札口に入場する際、或いは駅の改札口から出場する際に、ＩＣカード４ａを自動改札機７ａに接触或いは非接触させることによって、ＩＣカード４ａに記録されているカード識別情報と交通機関の利用情報（入場する情報、出場した情報、それら時刻等）を読み取らせ、オートチャージ方式で後に決済可能とする装置である。尚、各図では自動改札機７ａは一つしか図示していないが、通常は複数設けられている。
【００４８】
自動改札機７ａは、利用者が駅に入場する際には、その入場時刻と駅を識別する情報とをＩＣカード４ａに記録する。そして利用者が駅から出場する際には、入場する際に記録された駅を識別する情報に基づいて、その利用料金を算出する。そしてＩＣカード４ａ内の残りのバリューを確認し、所定バリュー値より少ない場合には予め定められたバリューを自動的に充当し、更にそこから当該利用料金に相当するバリューを減額する。そして当該ＩＣカード４ａに充当したバリューとそのカード識別情報とを、後述する改札制御装置８ａに送信する。
【００４９】
改札制御装置８ａは、各駅に少なくとも一以上設けられている装置であり、各自動改札機７ａの各種制御を行う装置である。例えば自動改札機７ａが読み取ったＩＣカード４ａ識別情報と交通機関の利用情報とを、後述する交通機関利用データベース１０ａに記録する装置である。即ち、自動改札機７ａから受信した、カード識別情報とそのＩＣカード４ａに充当したバリューとを交通機関利用データベース１０ａに記録する。管理装置９ａに対して所定期間毎にこのデータベースに記録したデータを送信すると良い。
【００５０】
管理装置９ａは、交通機関の事業者に少なくとも一以上設けられている装置であり、各駅の改札制御装置８ａが交通機関利用データベース１０ａに記録した利用記録（カード識別情報と充当したバリュー）を、クレジットカード会社の決済機関側システム３ａに対して、ネットワーク６を介して交通機関の請求データとして送信する装置である。
【００５１】
交通機関利用データベース１０ａは、カード識別情報と当該ＩＣカード４ａに対して充当したバリューとを記録しているデータベースである。図８（ａ）に交通機関利用データベース１０ａの概念図を示す。
【００５２】
決済機関側システム３ａは、ネットワーク６を介して交通機関側システム２ａから請求データを受信し、その請求データからカード識別情報が対応するクレジットカード番号に変換し、クレジットカードの利用記録として記録する。決済機関側システム３ａは、料金請求装置１１ａとクレジットカード番号データベース１２ａとクレジットカード利用データベース１３ａとを有している。尚、記録されたクレジットカードの利用記録は、公知の手法で、クレジットカードの利用として利用者に対して請求が為される。
【００５３】
料金請求装置１１ａは、交通機関側システム２ａから受信した請求データに於けるカード識別情報を抽出し、そのカード識別情報に関連づけられたクレジットカード番号を、後述するクレジットカード番号データベース１２ａから抽出し、当該抽出したクレジットカード番号の利用者のクレジットカードの利用記録として、当該請求データのバリューをクレジットカード利用データベース１３ａに記録する装置である。
【００５４】
又料金請求装置１１ａは、後述するバリュー還元端末５ａから受信したカード識別情報と残りのバリューとを受信し、当該カード識別情報に対応するクレジットカード番号を、クレジットカード番号データベース１２ａから抽出し、抽出したクレジットカード番号の利用者のクレジットカードの利用記録のマージ処理を行う。マージ処理とは、既にクレジットカード利用データベース１３ａに記録している、クレジットカードの利用記録を抽出し、バリュー還元端末５ａから受信した残りのバリューを減算し、その減算結果を新たな利用記録として、クレジットカード利用データベース１３ａに記録する装置である。例えば既にクレジットカードの利用記録として１０シンガポールドルが記録されており、バリュー還元端末５ａから残りのバリューとして３シンガポールドルを受信した場合、１０シンガポールドルから３シンガポールドルを減算し、その結果の７シンガポールドルを利用記録として、利用記録データベースに記録する。
【００５５】
クレジットカード番号データベース１２ａは、カード識別情報とクレジットカード番号とを関連づけて記録しているデータベースである。図８（ｂ）にクレジットカード番号データベース１２ａの概念図を示す。
【００５６】
クレジットカード利用データベース１３ａは、クレジットカード番号とその利用金額が記録されているデータベースである。図８（ｃ）にクレジットカード利用データベース１３ａの概念図を示す。また図８（ｃ１）はマージ処理前のクレジットカード利用データベース１３ａであり、図８（ｃ２）はマージ処理後のクレジットカード利用データベース１３ａの概念図である。図８（ｃ２）では、クレジットカード番号「１２３４−５６７８−９０１２−３４５６」と「４３２１−８７６５−２１０９−６５４３」の２つに対して各々マージ処理が行われた場合を示している。
【００５７】
バリュー還元端末５ａは、利用者のＩＣカード４ａと接触、又は非接触によってＩＣカード４ａとの間で通信を行い、情報の読み取り、或いは書き込みを行う装置である。即ち利用者がＩＣカード４ａをバリュー還元端末５ａに接触或いは非接触させることによって、ＩＣカード４ａに記録されているカード識別情報と残りのバリューとを読み取り、その残りのバリューを０に変更するとともに、読み取ったカード識別情報と残りのバリューとをネットワーク６を介して決済機関側システム３ａに送信する。尚、各図ではバリュー還元端末５ａは一つしか図示していないが、通常は複数設けられている。そして好適には空港や駅、港湾施設等の海外に対して出国可能な施設に設置されている。
【００５８】
次に図２に示したシステム構成の場合のプロセスの流れを図５のフローチャート図を用いて詳細に説明する。
【００５９】
まず、利用者が自動改札機７ａにＩＣカード４ａを読み取らせることによってオートチャージ方式による決済が行われる場合のプロセスの流れを示す。
【００６０】
交通機関を利用する利用者は、駅への入場の際にその自動改札機７ａにＩＣカード４ａを接触、又は非接触で読み取らせることによって、ＩＣカード４ａに入場時刻、入場した駅を識別する情報等をＩＣカード４ａに記録する。
【００６１】
そして駅から出場する際に、改札口にある自動改札機７ａにＩＣカード４ａを、入場の際と同様に接触、又は非接触させることで、入場の際にＩＣカード４ａに記録された入場時刻、入場した駅を識別する情報を読み取る。これを読み取ることで、当該利用者の利用料金を自動改札機７ａが算出する。
【００６２】
この際にＩＣカード４ａ内の残りのバリューを確認し（残額の確認）、所定バリュー値（所定の金額）より少ない場合には予め定められたバリュー（金額）を自動的に充当し、更にそこから当該利用したバリューを減額する。そして当該ＩＣカード４ａに充当したバリューとそのカード識別情報とを、その駅の改札制御装置８ａに送信する。従ってＩＣカード４ａの残額が所定バリュー値より多い場合には、自動的にバリューが充当されていないので、単に残りのバリューから利用したバリューを減額するのみである。
【００６３】
改札制御装置８ａは、自動改札機７ａから送信された情報を受信し、交通機関利用データベース１０ａに記録する。交通機関利用データベース１０ａには図８（ａ）のように記録される。
【００６４】
図８（ａ）では、カード識別情報が、「１１１１１」の利用者に対して１，０００円のバリューが自動的に充当され、「２２２２２」の利用者に対しては５００円のバリューが自動的に充当され、「３３３３３」の利用者に対しては２，０００円のバリューが自動的に充当されている。この充当するバリューは利用者が、交通機関のＩＣカード４ａの利用申込の際に設定しても良いし、交通機関が予め定めていても良い。上述の例では利用者が設定している場合を例としている。
【００６５】
例えば「１１１１１」の利用者のＩＣカード４ａの残りのバリューが３００円であり、５００円未満のバリューになったら自動的に充当することを設定している場合には、自動改札機７ａで出場する際にその残りのバリューが５００円未満のバリューであるので、１，０００円のバリューを自動的に充当し、そこから交通機関の利用したバリュー（利用料金）、例えば３８０円を減額する。従って３００円＋１，０００円−３８０円＝９２０円がＩＣカード４ａの新たな残りのバリューとして、自動改札機７ａによってＩＣカード４ａに記録される。また自動改札機７ａは、当該「１１１１１」の利用者に対して１，０００円のバリューを充当しているので、その情報（カード識別情報「１１１１１」とその充当したバリュー１，０００円の情報）を改札制御装置８ａに送信し、改札制御装置８ａがそれを交通機関利用データベース１０ａに記録する。
【００６６】
このような自動改札機７ａから改札制御装置８ａへの情報の送信はリアルタイム処理で行われても良いし、バッチ処理で行われても良い。
【００６７】
改札制御装置８ａは、所定期間毎或いは不定期に、交通機関利用データベース１０ａに記録された情報を管理装置９ａに対して送信する。そして受信した情報に基づいて、管理装置９ａは、カード識別情報とその充当したバリューの情報とを請求データとして、ネットワーク６を介して決済機関側システム３ａに送信する。尚、この請求データの作成、決済機関側システム３ａへの送信は、日毎、週毎、月毎等、各種のタイミングで行って良い。
【００６８】
例えば、管理装置９ａは、図８（ａ）の場合、「１１１１１」のカード識別情報と充当したバリュー１，０００円の情報、「２２２２２」のカード識別情報と充当したバリュー５００円の情報、「３３３３３」のカード識別情報と充当したバリュー２，０００円の情報等、各カード識別情報に対する充当したバリューの情報を請求データとして送信する。
【００６９】
決済機関側システム３ａは、請求データをネットワーク６を介して交通機関側システム２ａから受信する。請求データを受信した決済機関側システム３ａは、料金請求装置１１ａが、受信した請求データに於けるカード識別情報を抽出し、そのカード識別情報に関連づけられたクレジットカード番号をクレジットカード番号データベース１２ａから抽出する。
【００７０】
上述の例に於いて、料金請求装置１１ａは、図８（ｂ）のクレジットカード番号データベース１２ａを検索し、カード識別情報「１１１１１」に関連づけられたクレジットカード番号「１２３４−５６７８−９０１２−３４５６」、カード識別情報「２２２２２」に関連づけられたクレジットカード番号「０９８７−６５４３−２１０９−８７６５」、カード識別情報「３３３３３」に関連づけられたクレジットカード番号「４３２１−８７６５−２１０９−６５４３」等を抽出する。
【００７１】
クレジットカード番号を抽出後、そのクレジットカード番号と充当したバリューの情報とを料金請求装置１１ａがクレジットカード利用データベース１３ａに、クレジットカードの利用として記録する。
【００７２】
このようにしてクレジットカード利用データベース１３ａに各利用者毎の金額を記録する。上述のプロセスの流れは例えば特許文献１に開示のプロセスの流れを用いても良い。
【００７３】
次に利用者が出国の際にバリュー還元を求める際のプロセスの流れを図５のフローチャート図を用いて説明する。
【００７４】
利用者は、ＩＣカード４ａをバリュー還元端末５ａに接触、又は非接触させることによって、ＩＣカード４ａに記録されたカード識別情報と残りのバリューとを読み取る（Ｓ１００）。また読み取った際にＩＣカード４ａに記録されている残りのバリューを０に変更する。
【００７５】
バリュー還元端末５ａは、Ｓ１００で読み取ったカード識別情報と残りのバリューの情報とをネットワーク６を介して決済機関側システム３ａに送信する（Ｓ１１０）。この送信された情報は、決済機関側システム３ａで受信する（Ｓ１２０）。
【００７６】
Ｓ１１０で送信されたカード識別情報と残りのバリューの情報とを受信すると、当該カード識別情報に対応するクレジットカード番号を、クレジットカード番号データベース１２ａから抽出し（Ｓ１３０）、抽出したクレジットカード番号の利用者のクレジットカードの利用記録のマージ処理を行う（Ｓ１４０）。
【００７７】
上述したように、オートチャージの際には一定額のバリューを既にクレジットカードの利用として記録しているので、その使わなかったバリューを減額する処理を行うこととなる。
【００７８】
つまり、既にクレジットカード利用データベース１３ａに記録している、クレジットカードの利用記録を、バリュー還元端末５ａから受信したカード識別情報に基づいて抽出し、そしてバリュー還元端末５ａから受信した残りのバリューの情報を減算し、その減算結果を新たな利用記録として、クレジットカード利用データベース１３ａに記録する。例えば既にクレジットカードの利用記録として１０シンガポールドルが記録されており、バリュー還元端末５ａから残りのバリューの情報として３シンガポールドルを受信した場合、１０シンガポールドルから３シンガポールドルを減算し、その結果の７シンガポールドルを利用記録として、利用記録データベースに記録する。マージ処理前のクレジットカード利用データベース１３ａの概念図を図８（ｃ１）に示し、マージ処理後のクレジットカード利用データベース１３ａの概念図を図８（ｃ２）に示す。
【００７９】
このようにマージ処理を随時行うことで、クレジットカード利用データベース１３ａには、ＩＣカード４ａを返還せずとも、実際に利用者が利用したバリューのみの請求が行われることとなる。
【００８０】
【実施例２】
次に第２の実施例、即ち特許文献２のようにカード識別情報に対応づけられた仮想ＩＤと充当したバリューの情報とを決済機関側システム３ｂに送信することでオートチャージ方式による決済を行いＩＣカード４ｂにカード識別情報と仮想ＩＤとを記録している場合のバリュー還元システム１ｂを、図３のシステム構成図及び図６のフローチャート図を用いて説明する。
【００８１】
ＩＣカード４ｂは、実施例１と同様に利用者が交通機関を利用する際に用いる接触型、非接触型の乗車カードであり、特定の情報を記録することが可能なカードで、ＩＣチップが具備されており、カード識別情報、仮想ＩＤ、バリュー（金額のデータ）が記録されている。仮想ＩＤは、交通機関側システム２ｂに於いてカード識別情報と関連づけられており、更に決済機関側システム３ｂに於いてクレジットカード番号と関連づけられている。
【００８２】
交通機関側システム２ｂは、各国の交通機関の事業者が有しており、利用者がＩＣカード４ｂを用いてオートチャージ方式での決済を行う場合の公知のシステム（例えば特許文献２）である。交通機関側システム２ｂは、自動改札機７ｂと改札制御装置８ｂと管理装置９ｂと交通機関利用データベース１０ｂと交通機関側仮想ＩＤデータベース１４ｂを有している。
【００８３】
自動改札機７ｂ、改札制御装置８ｂ、交通機関利用データベース１０ｂは、実施例１の自動改札機７ａ、改札制御装置８ａ、交通機関利用データベース１０ａと同様である。
【００８４】
管理装置９ｂは、交通機関の事業者に少なくとも一以上設けられている装置であり、各駅の改札制御装置８ｂが交通機関利用データベース１０ｂに記録した利用記録（カード識別情報と充当したバリュー）と、後述する交通機関側仮想ＩＤデータベース１４ｂに基づいて、クレジットカード会社の決済機関側システム３ｂに対して、ネットワーク６を介して交通機関の請求データを送信する装置である。
【００８５】
交通機関利用データベース１０ｂに記録されたカード識別情報と当該ＩＣカード４ｂに充当したバリューの情報とを改札制御装置８ｂから受信し、後述する交通機関側仮想ＩＤデータベース１４ｂに記録された、カード識別情報に関連づけられた、そのカード利用者に対して予め付与されている仮想ＩＤを抽出し、抽出した仮想ＩＤと当該ＩＣカード４ｂに充当したバリューの情報とを請求データとして、ネットワーク６を介して決済機関側システム３ｂに送信する。
【００８６】
交通機関側仮想ＩＤデータベース１４ｂは、利用者に対して予め付与された仮想ＩＤとカード識別情報とを関連づけて記録しているデータベースである。図９（ａ）に交通機関側仮想ＩＤデータベース１４ｂの概念図を示す。
【００８７】
決済機関側システム３ｂは、ネットワーク６を介して交通機関側システム２ｂから請求データを受信し、その請求データから仮想ＩＤが対応するクレジットカード番号に変換し、クレジットカードの利用記録として記録する。決済機関側システム３ｂは、料金請求装置１１ｂと決済機関側仮想ＩＤデータベース１５ｂとクレジットカード利用データベース１２ｂとを有している。尚、記録されたクレジットカードの利用記録は、公知の手法で、クレジットカードの利用として利用者に対して請求が為される。又クレジットカード利用データベース１２ｂは、実施例１と同様であり、図９（ｃ）にクレジットカード利用データベース１２ｂの概念図を示す。また図９（ｃ１）はマージ処理前のクレジットカード利用データベース１２ｂであり、図９（ｃ２）はマージ処理後のクレジットカード利用データベース１２ｂの概念図である。図９（ｃ２）では、クレジットカード番号「１２３４−５６７８−９０１２−３４５６」と「４３２１−８７６５−２１０９−６５４３」の２つに対して各々マージ処理が行われた場合を示している。
【００８８】
料金請求装置１１ｂは、交通機関側システム２ｂから受信した請求データに於ける仮想ＩＤを抽出し、その仮想ＩＤに関連づけられたクレジットカード番号を、後述する決済機関側仮想ＩＤデータベース１５ｂから抽出し、当該抽出したクレジットカード番号の利用者のクレジットカードの利用記録として、当該請求データのバリューの情報をクレジットカード利用データベース１２ｂに記録する装置である。
【００８９】
又料金請求装置１１ｂは、後述するバリュー還元端末５ｂから受信した仮想ＩＤと残りのバリューの情報とを受信し、当該仮想ＩＤに対応するクレジットカード番号を、決済機関側仮想ＩＤデータベース１５ｂから抽出し、抽出したクレジットカード番号の利用者のクレジットカードの利用記録のマージ処理を行う。
【００９０】
決済機関側仮想ＩＤデータベース１５ｂは、仮想ＩＤとクレジットカード番号とを関連づけて記録しているデータベースである。図９（ｂ）に決済機関側仮想ＩＤデータベース１５ｂの概念図を示す。
【００９１】
バリュー還元端末５ｂは、利用者のＩＣカード４ｂを接触、又は非接触によってＩＣカード４ｂとの間で通信を行い、情報の読み取り、或いは書き込みを行う装置である。即ち利用者がＩＣカード４ｂをバリュー還元端末５ｂに接触或いは非接触させることによって、ＩＣカード４ｂに記録されている仮想ＩＤと残りのバリューの情報とを読み取り、その残りのバリューを０に変更するとともに、読み取った仮想ＩＤと残りのバリューの情報とをネットワーク６を介して決済機関側システム３ｂに送信する。尚、実施例１と同様に、各図ではバリュー還元端末５ｂは一つしか図示していないが、通常は複数設けられている。そして好適には空港や駅、港湾施設等の海外に対して出国可能な施設に設置されている。
【００９２】
次に図６のフローチャート図を用いて本実施例２のプロセスの流れを詳細に説明する。
【００９３】
まず、利用者が自動改札機７ｂにＩＣカード４ｂを読み取らせることによってオートチャージ方式による決済が行われる場合のプロセスの流れを示す。尚、ＩＣカード４ｂから読み取ったカード識別情報と充当したバリューの情報とを改札制御装置８ｂが交通機関利用データベース１０ｂに記録するまでのプロセスは実施例１と同様なので説明を省略する。尚、図９（ｄ）に、カード識別情報が、「１１１１１」の利用者に対して１，０００円のバリューが自動的に充当され、「２２２２２」の利用者に対しては５００円のバリューが自動的に充当され、「３３３３３」の利用者に対しては２，０００円のバリューが自動的に充当されている場合の交通機関利用データベース１０ｂの概念図を示す。
【００９４】
改札制御装置８ｂは、所定期間毎或いは不定期に、交通機関利用データベース１０ｂに記録された情報を管理装置９ｂに対して送信する。そして受信した情報に基づいて、管理装置９ｂは、交通機関側仮想ＩＤデータベース１４ｂから、当該カード識別情報に関連づけられた仮想ＩＤを抽出し、抽出した仮想ＩＤとその充当したバリューとを請求データとして、ネットワーク６を介して決済機関側システム３ｂに送信する。
【００９５】
例えば交通機関利用データベース１０ｂが図９（ｄ）であり、交通機関側仮想ＩＤデータベース１４ｂが図９（ａ）である場合、交通機関側仮想データベース１４ｂに記録されている「１１１１１」に関連づけられた仮想ＩＤ「Ａ」、「２２２２２」に関連づけられた仮想ＩＤ「Ｂ」、「３３３３３」に関連づけられた仮想ＩＤ「Ｃ」を抽出し、仮想ＩＤ「Ａ」と充当したバリュー１，０００円、仮想ＩＤ「Ｂ」と充当したバリュー５００円、仮想ＩＤ「Ｃ」と充当したバリュー２，０００円を請求データとして決済機関側システム３ｂに送信する。尚、この請求データの作成、決済機関側システム３ｂへの送信は、日毎、週毎、月毎等、各種のタイミングで行って良い。
【００９６】
決済機関側システム３ｂは、請求データをネットワーク６を介して交通機関側システム２ｂから受信する。請求データを受信した決済機関側システム３ｂは、料金請求装置１１ｂが、受信した請求データに於ける仮想ＩＤを抽出し、その仮想ＩＤに関連づけられたクレジットカード番号を決済機関側仮想ＩＤデータベース１５ｂから抽出する。
【００９７】
上述の例に於いて、料金請求装置１１ｂは、図９（ｂ）のクレジットカード番号データベースを検索し、仮想ＩＤ「Ａ」に関連づけられたクレジットカード番号「１２３４−５６７８−９０１２−３４５６」、仮想ＩＤ「Ｂ」に関連づけられたクレジットカード番号「０９８７−６５４３−２１０９−８７６５」、仮想ＩＤ「Ｃ」に関連づけられたクレジットカード番号「４３２１−８７６５−２１０９−６５４３」等を抽出する。
【００９８】
クレジットカード番号を抽出後、そのクレジットカード番号と充当したバリューの情報とを料金請求装置１１ｂがクレジットカード利用データベース１２ｂに、クレジットカードの利用として記録する。
【００９９】
このようにしてクレジットカード利用データベース１２ｂに各利用者毎の金額を記録する。上述のプロセスの流れは例えば特許文献２に開示のプロセスの流れを用いても良い。
【０１００】
次に利用者が出国の際にバリュー還元を求める際のプロセスの流れを図６のフローチャート図を用いて説明する。
【０１０１】
利用者は、ＩＣカード４ｂをバリュー還元端末５ｂに接触、又は非接触させることによって、ＩＣカード４ｂに記録された仮想ＩＤと残りのバリューの情報とを読み取る（Ｓ２００）。また読み取った際にカードに記録されている残りのバリューを０に変更する。
【０１０２】
バリュー還元端末５ｂは、Ｓ２００で読み取った仮想ＩＤと残りのバリューの情報とをネットワーク６を介して決済機関側システム３ｂに送信する（Ｓ２１０）。この送信された情報は、決済機関側システム３ｂで受信する（Ｓ２２０）。
【０１０３】
Ｓ２２０で送信された仮想ＩＤと残りのバリューの情報とを受信すると、当該仮想ＩＤに対応するクレジットカード番号を、決済機関側仮想ＩＤデータベース１５ｂから抽出し（Ｓ２３０）、抽出したクレジットカード番号の利用者のクレジットカードの利用記録のマージ処理を行う（Ｓ２４０）。
【０１０４】
上述したように、オートチャージの際には一定額のバリューを既にクレジットカードの利用として記録しているので、その使わなかったバリューを減額する処理を行うこととなる。
【０１０５】
つまり、料金請求装置１１ｂは、既にクレジットカード利用データベース１２ｂに記録している、クレジットカードの利用記録を、バリュー還元端末５ｂから受信した仮想ＩＤに基づいてＳ２３０で抽出したクレジットカード番号に基づいて抽出し、そしてバリュー還元端末５ｂから受信した残りのバリューを減算し、その減算結果を新たな利用記録として、クレジットカード利用データベース１２ｂに記録する。例えば既にクレジットカードの利用記録として１０シンガポールドルが記録されており、バリュー還元端末５ｂから残りのバリューとして３シンガポールドルを受信した場合、１０シンガポールドルから３シンガポールドルを減算し、その結果の７シンガポールドルを利用記録として、利用記録データベースに記録する。マージ処理前のクレジットカード利用データベース１２ｂの概念図を図９（ｃ１）に示し、マージ処理後のクレジットカード利用データベース１２ｂの概念図を図９（ｃ２）に示す。
【０１０６】
このようにマージ処理を随時行うことで、クレジットカード利用データベース１２ｂには、ＩＣカード４ｂを返還せずとも、実際に利用者が利用したバリューのみの請求が行われることとなる。また実施例１の場合と異なり、請求データにカード識別情報を用いていないので、例えば利用者がＩＣカード４ｂを紛失等してＩＣカード４ｂの再発行によりカード識別情報が変更された場合、新たなカード識別情報を交通事業者が決済機関側システム３ｂに送信せずとも済む。即ち交通機関側でカード識別情報と仮想ＩＤとの関連づけを変更するのみで済む。
【０１０７】
【実施例３】
次に第３の実施例、即ち特許文献２のようにカード識別情報に対応づけられた仮想ＩＤと充当したバリューの情報とを決済機関側システム３ｃに送信することでオートチャージ方式による決済を行いＩＣカード４ｃにカード識別情報を記録している場合のバリュー還元システム１ｃを、図４のシステム構成図及び図７のフローチャート図とを用いて説明する。
【０１０８】
ＩＣカード４ｃは、実施例１と同様であり、カード識別情報とバリュー（金額のデータ）とを記録している。
【０１０９】
交通機関側システム２ｃは、各国の交通機関の事業者が有しており、利用者がＩＣカード４ｃを用いてオートチャージ方式での決済を行う場合の公知のシステム（例えば特許文献２）である。交通機関側システム２ｃは、自動改札機７ｃと改札制御装置８ｃと管理装置９ｃと仮想ＩＤ問合わせ装置１６ｃと交通機関利用データベース１０ｃと交通機関側仮想ＩＤデータベース１４ｃを有している。
【０１１０】
自動改札機７ｃ、改札制御装置８ｃ、交通機関利用データベース１０ｃは、実施例１の自動改札機７ａ、改札制御装置８ａ、交通機関利用データベース１０ａと同様である。又管理装置９ｃ、交通機関側仮想ＩＤデータベース１４ｃは実施例２の管理装置９ｂ、交通機関仮想ＩＤデータベース１４ｂと同様である。即ち交通機関側システム２ｃは、実施例２の交通機関側システム２ｂに更に仮想ＩＤ問合わせ装置１６ｃを有している。
【０１１１】
仮想ＩＤ問合わせ装置１６ｃは、バリュー還元端末５ｃが読み取ったカード識別情報をネットワーク６を介して受信し、当該カード識別情報に該当する仮想ＩＤを交通機関側仮想ＩＤデータベース１４ｃから抽出し、その結果をバリュー還元端末５ｃに対してネットワーク６を介して送信する装置である。
【０１１２】
決済機関側システム３ｃは、実施例２の決済機関側システム３ｂと同様である。
【０１１３】
バリュー還元端末５ｃは、利用者のＩＣカード４ｃを接触、又は非接触によってＩＣカード４ｃとの間で通信を行い、情報の読み取り、或いは書き込みを行う装置である。即ち利用者がＩＣカード４ｃをバリュー還元端末５ｃに接触或いは非接触させることによって、ＩＣカード４ｃに記録されているカード識別情報と残りのバリューの情報とを読み取る。読み取ったカード識別情報は、ネットワーク６を介して交通機関側システム２ｃに対して送信し、そのカード識別情報に関連づけられている仮想ＩＤを交通機関側仮想ＩＤデータベース１４ｃから抽出をし、それを受信する。又、ＩＣカード４ｃから読み取った残りのバリューを０に変更するとともに、交通機関側システム２ｃから受信した仮想ＩＤと残りのバリューの情報とをネットワーク６を介して決済機関側システム３ｃに送信する。尚、実施例１、実施例２と同様に、各図ではバリュー還元端末５ｃは一つしか図示していないが、通常は複数設けられている。そして好適には空港や駅、港湾施設等の海外に対して出国可能な施設に設置されている。
【０１１４】
次に図７のフローチャート図を用いて本実施例３のプロセスの流れを詳細に説明する。
【０１１５】
利用者が自動改札機７ｃにＩＣカード４ｃを読み取らせることによってオートチャージ方式による決済が行われる場合のプロセスの流れは、実施例２と同様なので説明を省略する。
【０１１６】
利用者が出国の際にバリュー還元を求める際のプロセスの流れを図７のフローチャート図を用いて説明する。
【０１１７】
利用者は、ＩＣカード４ｃをバリュー還元端末５ｃに接触、又は非接触させることによって、ＩＣカード４ｃに記録されたカード識別情報と残りのバリューの情報とを読み取る（Ｓ３００）。
【０１１８】
バリュー還元端末５ｃは、Ｓ３００で読み取ったカード識別情報をネットワーク６を介して交通機関側システム２ｃに対して送信し、カード識別情報に対応する仮想ＩＤの問い合わせを行う（Ｓ３１０）。
【０１１９】
カード識別情報をバリュー還元端末５ｃから受信した交通機関側システム２ｃの仮想ＩＤ問合わせ装置１６ｃは、交通機関側仮想ＩＤデータベース１４ｃから当該カード識別情報に対応した仮想ＩＤを抽出し、その抽出した仮想ＩＤを仮想ＩＤ問合わせ装置１６ｃがネットワーク６を介してバリュー還元端末５ｃに対して送信する。例えばバリュー還元端末５ｃが読み取ったカード識別情報が「１１１１１」であった場合には、これが交通機関側システム２ｃに対して送信され、それを受信した交通機関側システム２ｃの仮想ＩＤ問合わせ装置１６ｃは、「１１１１１」に関連づけられた仮想ＩＤ「Ａ」を抽出する。そして仮想ＩＤ問合わせ装置１６ｃは、仮想ＩＤ「Ａ」をバリュー還元端末５ｃに対して送信することとなる。
【０１２０】
交通機関側システム２ｃから仮想ＩＤをバリュー還元端末５ｃが受信すると（Ｓ３２０）、交通機関側システム２ｃから受信した仮想ＩＤと、Ｓ３００でＩＣカード４ｃから読み取った残りのバリューの情報とをネットワーク６を介して決済機関側システム３ｃに送信する（Ｓ３３０）。この送信された情報は、決済機関側システム３ｃで受信する（Ｓ３４０）。
【０１２１】
Ｓ３３０で送信された仮想ＩＤと残りのバリューの情報とを受信すると、料金請求装置１１ｃは、当該仮想ＩＤに対応するクレジットカード番号を、決済機関側仮想ＩＤデータベース１５ｃから抽出し（Ｓ３５０）、抽出したクレジットカード番号の利用者のクレジットカードの利用記録のマージ処理を行う（Ｓ３６０）。
【０１２２】
上述したように、オートチャージの際には一定額のバリューを既にクレジットカードの利用として記録しているので、その使わなかったバリューを減額する処理を行うこととなる。マージ処理は、実施例２と同様なので説明を省略する。
【０１２３】
このようにマージ処理を随時行うことで、クレジットカード利用データベース１２ｃには、ＩＣカード４ｃを返還せずとも、実際に利用者が利用したバリューのみの請求が行われることとなる。また実施例２の場合と異なり、ＩＣカード４ｃに仮想ＩＤを記録しておらず、仮想ＩＤは交通機関側システム２ｃと決済機関側システム３ｃとの間で送受信されるのみであることから、その仮想ＩＤを外部のものが知ることが出来ず、セキュリティ性を実施例２の場合よりも向上させることが可能となる。
【０１２４】
【実施例４】
次に第４の実施例、即ちカード識別情報と充当したバリューに対してマージ処理を行った後のバリューとを決済機関側システム３ｄに送信することでオートチャージ方式による決済を行う場合のバリュー還元システム１ｄを、図１０のシステム構成図及び図１２のフローチャート図とを用いて説明する。
【０１２５】
ＩＣカード４ｄは、実施例１と同様に利用者が交通機関を利用する際に用いる接触型、非接触型の乗車カードであり、特定の情報を記録することが可能なカードで、ＩＣチップが具備されており、カード識別情報、バリューが記録されている。
【０１２６】
交通機関側システム２ｄは、各国の交通事業者が有しており、利用者がＩＣカード４ｄを用いてオートチャージ方式での決済を行う場合の公知のシステム（例えば特許文献１）である。交通機関側システム２ｄは、自動改札機７ｄと改札制御装置８ｄと管理装置９ｄと交通機関利用データベース１０ｄとを有している。
【０１２７】
自動改札機７ｄ、改札制御装置８ｄは、実施例１の自動改札機７ａ、改札制御装置８ａと同様である。
【０１２８】
管理装置９ｄは、交通機関の事業者に少なくとも一以上設けられている装置であり、各駅の改札制御装置８ｄが交通機関利用データベース１０ｄに記録した利用記録（カード識別情報と充当したバリュー）に対して、バリュー還元端末５ｄから、バリュー還元端末５ｄが読み取ったＩＣカード４ｄに記録されているカード識別情報と残りのバリューとを受信し、マージ処理を行い、その結果のバリューとカード識別情報とを、クレジットカード会社の決済機関側システム３ｄに対して、ネットワーク６を介して交通機関の請求データとして送信する装置である。
【０１２９】
交通機関利用データベース１０ｄは、カード識別情報とバリューとを記録しているデータベースである。
【０１３０】
ここで管理装置９ｄはマージ処理として、バリュー還元端末５ｄからカード識別情報と残りのバリューとを受信した場合、残りのバリューは、交通機関利用データベース１０ｄにマイナスのバリューとして記録をしても良いし、既に交通機関利用データベース１０ｄに記録している充当したバリューから、受信した残りのバリューを減算し、その結果を充当したバリューとして更新しても良い。即ち前者のようにマイナスのバリューとして記録する場合には、図１４（ａ１）のように記録する。又後者のように充当したバリューから残りのバリューを減算する場合には、図１４（ａ２）のように記録された交通機関利用データベース１０ｄからマージ処理を行うことによって、図１４（ａ３）のように交通機関利用データベース１０ｄを更新する。
【０１３１】
決済機関側システム３ｄは、ネットワーク６を介して交通機関側システム２ｄから請求データを受信し、その請求データからカード識別情報が対応するクレジットカード番号に変換し、クレジットカードの利用記録として記録する。決済機関側システム３ｄは、料金請求装置１１ｄとクレジットカード番号データベース１２ｄとクレジットカード利用データベース１３ｄとを有している。尚、記録されたクレジットカードの利用記録は、公知の手法で、クレジットカードの利用として利用者に対して請求が為される。
【０１３２】
料金請求装置１１ｄは、交通機関側システム２ｄから受信した請求データに於けるカード識別情報を抽出し、そのカード識別情報に関連づけられたクレジットカード番号を、クレジットカード番号データベース１２ｄから抽出し、当該抽出したクレジットカード番号の利用者のクレジットカードの利用記録として、当該請求データのバリューをクレジットカード利用データベース１３ｄに記録する装置である。
【０１３３】
クレジットカード番号データベース１２ｄは、実施例１のクレジットカード番号データベース１２ａと同様であり、カード識別情報とクレジットカード番号とを関連づけて記録している。図１４（ｂ）にクレジットカード番号データベース１２ｄの概念図を示す。
【０１３４】
クレジットカード利用データベース１３ｄは、クレジットカード番号とその利用金額とが記録されているデータベースである。図１４（ｃ）にクレジットカード利用データベース１３ｄの概念図を示す。
【０１３５】
バリュー還元端末５ｄは、利用者のＩＣカード４ｄと接触、又は非接触によってＩＣカード４ｄとの間で通信を行い、情報の読み取り、或いは書き込みを行う装置である。即ち利用者がＩＣカード４ｄをバリュー還元端末５ｄに接触或いは非接触させることによって、ＩＣカード４ｄに記録されているカード識別情報と残りのバリューとを読み取り、その残りのバリューを０に変更すると共に、読み取ったカード識別情報と残りのバリューとをネットワーク６を介して交通機関側システム２ｄに送信する。尚、実施例１と同様に各図ではバリュー還元端末５ｄは一つしか図示していないが、通常は複数設けられている。そして好適には空港や駅、港湾施設等の海外に対して出国可能な施設に設置されている。
【０１３６】
次に図１０に示したシステム構成の場合のプロセスの流れを図１２のフローチャート図を用いて詳細に説明する。
【０１３７】
利用者が自動改札機７ｄにＩＣカード４ｄを読み取らせることによってオートチャージ方式による決済を行う場合のプロセスの流れを示す。
【０１３８】
交通機関を利用する利用者は、駅への入場の際にその自動改札機７ｄにＩＣカード４ｄを接触又は非接触で読み取らせることによって、ＩＣカード４ｄに入場時刻、入場した駅を識別する情報等をＩＣカード４ｄに記録する。
【０１３９】
そして駅から出場する際に、改札口にある自動改札機７ｄにＩＣカード４ｄを入場の際と同様に接触、又は非接触させることで、入場の際にＩＣカード４ｄに記録された入場時刻、入場した駅を識別する情報を読み取る。これを読み取ることで、当該利用者の利用料金を自動改札機７ｄが算出する。
【０１４０】
この際にＩＣカード４ｄ内の残りのバリューを確認し（残額の確認）、所定バリュー値（所定の金額）より少ない場合には予め定められたバリュー（金額）を自動的に充当し、更にそこから当該利用したバリューを減額する。そして当該ＩＣカード４ｄに充当したバリューとそのカード識別情報とを、その駅の改札制御装置８ｄに送信する。従ってＩＣカード４ｄの残額が所定バリュー値より多い場合には、自動的にバリューが充当されていないので、単に残りのバリューから利用したバリューを減額するのみである。
【０１４１】
改札制御装置８ｄは、自動改札機７ｄから送信された情報を受信し、交通機関利用データベース１０ｄに記録する。交通機関利用データベース１０ｄには図１４（ａ２）のように記録される。
【０１４２】
図１４（ａ２）では、カード識別情報が「１１１１１」の利用者に対して１，０００円のバリューが自動的に充当され、「２２２２２」の利用者に対しては５００円のバリューが自動的に充当され、「３３３３３」の利用者に対しては２，０００円のバリューが自動的に充当されている。この充当するバリューは利用者が、交通機関のＩＣカード４ｄ乗りよう申込の際に設定しても良いし、交通機関が予め定めていても良い。上述の例では利用者が設定している場合を例としている。
【０１４３】
例えば「１１１１１」の利用者のＩＣカード４ｄの残りのバリューが３００円であり、５００円未満のバリューになったら自動的に充当することを設定している場合には、自動改札機７ｄで出場する際にその残りのバリューが５００円未満のバリューであるので、１，０００円のバリューを自動的に充当し、そこから交通機関の利用したバリュー（利用料金）、例えば３８０円を減額する。従って３００円＋１，０００円−３８０円＝９２０円がＩＣカード４ｄの新たな残りのバリューとして、自動改札機７ｄによってＩＣカード４ｄに記録される。又自動改札機７ｄは、当該「１１１１１」の利用者に対して１，０００円のバリューを充当しているので、その情報（カード識別情報「１１１１１」とその充当したバリュー１，０００円の情報）を改札制御装置８ｄに送信し、改札制御装置８ｄがそれを交通機関利用データベース１０ｄに記録する。
【０１４４】
このような自動改札機７ｄから改札制御装置８ｄへの情報の送信はリアルタイム処理で行われても良いし、バッチ処理で行われても良い。
【０１４５】
次に利用者が出国の際にバリュー還元を求める際のプロセスの流れを図１２のフローチャート図を用いて説明する。
【０１４６】
利用者はＩＣカード４ｄをバリュー還元端末５ｄに接触、又は非接触させることによって、ＩＣカード４ｄに記録されたカード識別情報と残りのバリューとを読み取る（Ｓ４００）。また読み取った際にＩＣカード４ｄに記録している残りのバリューを０に変更する。
【０１４７】
バリュー還元端末５ｄは、Ｓ４００で読み取ったカード識別情報と残りのバリューの情報とをネットワーク６を介して交通機関側システム２ｄに送信する（Ｓ４１０）。この送信された情報は、交通機関側システム２ｄで受信する（Ｓ４２０）。
【０１４８】
Ｓ４１０で送信されたカード識別情報と残りのバリューの情報とを受信すると、交通機関側システム２ｄの管理装置９ｄは、交通機関利用データベース１０ｄに対してマージ処理を行う（Ｓ４３０）。
【０１４９】
Ｓ４３０のマージ処理としては、バリュー還元端末５ｄから受信したカード識別情報と残りのバリューとを、交通機関利用データベース１０ｄに、マイナスのバリューとして利用記録を記録しても良いし、既に交通機関利用データベース１０ｄに記録している充当したバリューを、当該カード識別情報に基づいて抽出し、抽出したカード識別情報に関連づけられた充当したバリューから、受信した残りのバリューを減算し、その結果を充当したバリューとして更新し、交通機関利用データベース１０ｄに記録しても良い。
【０１５０】
即ち、図１４（ａ２）のように記録されている交通機関利用データベース１０ｄに対して、管理装置９ｄが受信したカード識別情報（例えば「１１１１１」と残りのバリュー（例えば「３００」）とを、残りのバリューをマイナスのバリューとして、図１４（ａ１）のようにカード識別情報を「１１１１１」、充当したバリューを「−３００」として記録する。或いは、図１４（ａ２）のように記録されている交通機関利用データベース１０ｄから、管理装置９ｄが受信したカード識別情報（例えば「１１１１１」）に基づいて、既に記録しているカード識別情報「１１１１１」の充当したバリュー「１，０００」を抽出し、抽出した「１，０００」から、管理装置９ｄが受信した残りのバリュー（例えば「３００」）を減算し、新たに「７００」を充当したバリューとして、カード識別情報「１１１１１」に関連づけて記録しても良い。この場合の交通機関利用データベース１０ｄの概念図を図１４（ａ３）に示す。
【０１５１】
Ｓ４３０のマージ処理後、管理装置９ｄは定期的又は不定期に、交通機関利用データベース１０ｄに記録された、カード識別情報と充当したバリューの情報とを請求データとして、ネットワーク６を介して決済機関側システム３ｄに送信する（Ｓ４４０）。この際の請求データは、交通機関利用データベース１０ｄに、バリュー還元端末５ｄから受信したマイナスのバリューを記録している場合には、マイナスのバリューを有する請求データとして送信し、図１４（ａ３）のように、既に減算処理後の場合には、その結果を請求データとして送信することとなる。
【０１５２】
即ち、図１４（ａ１）の場合、カード識別情報「１１１１１」と充当したバリュー「１，０００」、カード識別情報「１１１１１」と充当したバリュー「−３００」のように送信し、図１４（ａ３）の場合では、カード識別情報「１１１１１」と充当したバリュー「７００」とを請求データとして送信することとなる。
【０１５３】
決済機関側システム３ｄは、請求データをネットワーク６を介して交通機関側システム２ｄから受信する（Ｓ４５０）。請求データを受信した決済機関側システム３ｄは、料金請求装置１１ｄが、受信した請求データに於けるカード識別情報を抽出し、そのカード識別情報に関連づけられたクレジットカード番号をクレジットカード番号データベース１２ｄから抽出する（Ｓ４６０）。
【０１５４】
上述の例に於いて、料金請求装置１１ｄは、図１４（ｂ）のクレジットカード番号データベース１２ｄを検索し、カード識別情報「１１１１１」に関連づけられたクレジットカード番号「１２３４−５６７８−９０１２−３４５６」、カード識別情報「２２２２２」に関連づけられたクレジットカード番号「０９８７−６５４３−２１０９−８７６５」、カード識別情報「３３３３３」に関連づけられた「４３２１−８７６５−２１０９−６５４３」等を抽出する。
【０１５５】
クレジットカード番号を抽出後、そのクレジットカード番号と充当したバリューの情報とを料金請求装置１１ｄがクレジットカード利用データベース１３ｄに、クレジットカードの利用として記録する。
【０１５６】
この場合、充当したバリューとしてマイナスのバリューの請求データを含む場合には、それをそのままクレジットカード番号に関連づけて、クレジットカード番号の利用としてバリュー毎別々に記録しても良いし、当該カード識別情報のプラスのバリュー、上述の例ではクレジットカード番号「１２３４−５６７８−９０１２−３４５６」の「１，０００」のバリューから、マイナスのバリュー「−３００」を減算し、合算した結果を記録しても良い。又交通機関側システム２ｄから既に合算した結果を受信している場合には、それをそのままクレジットカード番号の利用としてクレジットカード利用データベース１３ｄに記録する。
【０１５７】
このようにしてクレジットカード利用データベース１３ｄに各利用者毎の金額を記録し、通常のクレジットカード利用と同様にその請求を行う（Ｓ４７０）。上述のプロセスの流れは例えば特許文献１に開示のプロセスの流れを用いても良い。
【０１５８】
このように還元されるＩＣカード４ｄのバリューを直接決済機関側システム３ｄに送信するのではなく、交通機関側システム２ｄに送信し、交通機関側システム２ｄを介することによって、還元されるバリューを交通機関の事業者でも把握できることとなる。
【０１５９】
【実施例５】
次に第５の実施例、即ち特許文献２のようにカード識別情報に対応づけられた仮想ＩＤと充当したバリューに対してマージ処理を行った後のバリューとを決済機関側システム３ｅに送信することでオートチャージ方式による決済を行う場合のバリュー還元システム１ｅを、図１１のシステム構成図及び図１３のフローチャート図とを用いて説明する。
【０１６０】
ＩＣカード４ｅは、実施例１と同様であり、カード識別情報とバリューとを記録している。
【０１６１】
交通機関側システム２ｅは、各国の交通事業者が有しており、利用者がＩＣカード４ｅを用いてオートチャージ方式での決済を行う場合の公知のシステム（例えば特許文献２）である。交通機関側システム２ｅは、自動改札機７ｅと改札制御装置８ｅと管理装置９ｅと交通機関利用データベース１０ｅと交通機関側仮想ＩＤデータベース１４ｅを有している。
【０１６２】
自動改札機７ｅ、改札制御装置８ｅ、交通機関利用データベース１０ｅは、実施例４の自動改札機７ｄ、改札制御装置８ｄ、交通機関利用データベース１０ｄと同様である。又交通機関側仮想ＩＤデータベース１４ｅは、実施例２の交通機関側仮想ＩＤデータベース１４ｂと同様である。交通機関側仮想ＩＤデータベース１４ｅの概念図を図１５（ａ）に示す。又交通機関利用データベース１０ｅの概念図を図１５（ｄ）に示す。
【０１６３】
管理装置９ｅは、交通機関の事業者に少なくとも一以上設けられている装置であり、各駅の改札制御装置８ｅが交通機関利用データベース１０ｅに記録した利用記録（カード識別情報と充当したバリュー）に対して、バリュー還元端末５ｅから、バリュー還元端末５ｅが読み取ったＩＣカード４ｅに記録されているカード識別情報と残りのバリューとを受信し、マージ処理を行う。又交通機関側仮想ＩＤデータベース１４ｅに記録しているカード識別情報に関連づけられた仮想ＩＤを抽出し、抽出した仮想ＩＤとマージ処理をした結果のバリューとを請求データとして、クレジットカード会社の決済機関側システム３ｅに対して、ネットワーク６を介して交通機関の請求データとして送信する装置である。
【０１６４】
決済機関側システム３ｅは、ネットワーク６を介して交通機関側システム２ｅから請求データを受信し、その請求データから仮想ＩＤが対応するクレジットカード番号に変換し、クレジットカードの利用記録として記録する。決済機関側システム３ｅは、料金請求装置１１ｅと決済機関側仮想ＩＤデータベース１５ｅとクレジットカード利用データベース１２ｅとを有している。尚、記録されたクレジットカードの利用記録は、公知の手法で、クレジットカードの利用として利用者に対して請求が為される。
【０１６５】
料金請求装置１１ｅは、交通機関側システム２ｅから受信した請求データに於ける仮想ＩＤを抽出し、その仮想ＩＤに関連づけられたクレジットカード番号を、決済機関側仮想ＩＤデータベース１５ｅから抽出し、当該抽出したクレジットカード番号の利用者のクレジットカードの利用記録として、当該請求データのバリューをクレジットカード利用データベース１２ｅに記録する装置である。
【０１６６】
決済機関側仮想ＩＤデータベース１５ｅは、仮想ＩＤとクレジットカード番号とを関連づけて記録しているデータベースであり、実施例２の決済機関側仮想ＩＤデータベース１５ｅと同様である。図１５（ｂ）に決済機関側仮想ＩＤデータベース１５ｅの概念図を示す。
【０１６７】
クレジットカード利用データベース１２ｅは、クレジットカード番号とその利用金額とが記録されているデータベースである。図１５（ｃ）にクレジットカード利用データベース１２ｅの概念図を示す。
【０１６８】
バリュー還元端末５ｅは、実施例４と同様である。
【０１６９】
次に図１１に示したシステム構成の場合のプロセスの流れを図１３のフローチャート図を用いて詳細に説明する。
【０１７０】
利用者が自動改札機７ｅにＩＣカード４ｅを読み取らせることによってオートチャージ方式による決済を行う場合のプロセスの流れを示す。
【０１７１】
交通機関を利用する利用者は、駅への入場の際にその自動改札機７ｅにＩＣカード４ｅを接触又は非接触で読み取らせることによって、ＩＣカード４ｅに入場時刻、入場した駅を識別する情報等をＩＣカード４ｅに記録する。
【０１７２】
そして駅から出場する際に、改札口にある自動改札機７ｅにＩＣカード４ｅを入場の際と同様に接触、又は非接触させることで、入場の際にＩＣカード４ｅに記録された入場時刻、入場した駅を識別する情報を読み取る。これを読み取ることで、当該利用者の利用料金を自動改札機７ｅが算出する。
【０１７３】
この際にＩＣカード４ｅ内の残りのバリューを確認し（残額の確認）、所定バリュー値（所定の金額）より少ない場合には予め定められたバリュー（金額）を自動的に充当し、更にそこから当該利用したバリューを減額する。そして当該ＩＣカード４ｅに充当したバリューとそのカード識別情報とを、その駅の改札制御装置８ｅに送信する。従ってＩＣカード４ｅの残額が所定バリュー値より多い場合には、自動的にバリューが充当されていないので、単に残りのバリューから利用したバリューを減額するのみである。
【０１７４】
改札制御装置８ｅは、自動改札機７ｅから送信された情報を受信し、交通機関利用データベース１０ｅに記録する。交通機関利用データベース１０ｅには図１５（ｄ１）のように記録される。
【０１７５】
図１５（ｄ１）では、カード識別情報が「１１１１１」の利用者に対して１，０００円のバリューが自動的に充当され、「２２２２２」の利用者に対しては５００円のバリューが自動的に充当され、「３３３３３」の利用者に対しては２，０００円のバリューが自動的に充当されている。この充当するバリューは利用者が、交通機関のＩＣカード４ｅ乗りよう申込の際に設定しても良いし、交通機関が予め定めていても良い。上述の例では利用者が設定している場合を例としている。
【０１７６】
例えば「１１１１１」の利用者のＩＣカード４ｅの残りのバリューが３００円であり、５００円未満のバリューになったら自動的に充当することを設定している場合には、自動改札機７ｅで出場する際にその残りのバリューが５００円未満のバリューであるので、１，０００円のバリューを自動的に充当し、そこから交通機関の利用したバリュー（利用料金）、例えば３８０円を減額する。従って３００円＋１，０００円−３８０円＝９２０円がＩＣカード４ｅの新たな残りのバリューとして、自動改札機７ｅによってＩＣカード４ｅに記録される。又自動改札機７ｅは、当該「１１１１１」の利用者に対して１，０００円のバリューを充当しているので、その情報（カード識別情報「１１１１１」とその充当したバリュー１，０００円の情報）を改札制御装置８ｅに送信し、改札制御装置８ｅがそれを交通機関利用データベース１０ｅに記録する。
【０１７７】
このような自動改札機７ｅから改札制御装置８ｅへの情報の送信はリアルタイム処理で行われても良いし、バッチ処理で行われても良い。
【０１７８】
次に利用者が出国の際にバリュー還元を求める際のプロセスの流れを図１３のフローチャート図を用いて説明する。
【０１７９】
利用者はＩＣカード４ｅをバリュー還元端末５ｅに接触、又は非接触させることによって、ＩＣカード４ｅに記録されたカード識別情報と残りのバリューとを読み取る（Ｓ５００）。また読み取った際にＩＣカード４ｅに記録している残りのバリューを０に変更する。
【０１８０】
バリュー還元端末５ｅは、Ｓ５００で読み取ったカード識別情報と残りのバリューの情報とをネットワーク６を介して交通機関側システム２ｅに送信する（Ｓ５１０）。この送信された情報は、交通機関側システム２ｅで受信する（Ｓ５２０）。
【０１８１】
Ｓ５１０で送信されたカード識別情報と残りのバリューの情報とを受信すると、交通機関側システム２ｅの管理装置９ｅは、交通機関利用データベース１０ｅに対してマージ処理を行う（Ｓ５３０）。
【０１８２】
Ｓ５３０のマージ処理としては、バリュー還元端末５ｅから受信したカード識別情報と残りのバリューとを、交通機関利用データベース１０ｅに、マイナスのバリューとして利用記録を記録しても良いし、既に交通機関利用データベース１０ｅに記録している充当したバリューを、当該カード識別情報に基づいて抽出し、抽出したカード識別情報に関連づけられた充当したバリューから、受信した残りのバリューを減算し、その結果を充当したバリューとして更新し、交通機関利用データベース１０ｅに記録しても良い。
【０１８３】
即ち、図１５（ｄ１）のように記録されている交通機関利用データベース１０ｅに対して、管理装置９ｅが受信したカード識別情報（例えば「１１１１１」と残りのバリュー（例えば「３００」）とを、残りのバリューをマイナスのバリューとして、図１５（ｄ２）のようにカード識別情報を「１１１１１」、充当したバリューを「−３００」として記録する。或いは、図１５（ｄ１）のように記録されている交通機関利用データベース１０ｅから、管理装置９ｅが受信したカード識別情報（例えば「１１１１１」）に基づいて、既に記録しているカード識別情報「１１１１１」の充当したバリュー「１，０００」を抽出し、抽出した「１，０００」から、管理装置９ｅが受信した残りのバリュー（例えば「３００」）を減算し、新たに「７００」を充当したバリューとして、カード識別情報「１１１１１」に関連づけて記録しても良い。この場合の交通機関利用データベース１０ｅの概念図を図１５（ｄ３）に示す。
【０１８４】
Ｓ５３０のマージ処理後、管理装置９ｅは、交通機関側仮想ＩＤデータベース１４ｅから、当該カード識別情報に関連づけられた仮想ＩＤを抽出し、抽出した仮想ＩＤとその充当したバリューとを請求データとして、ネットワーク６を介して決済機関側システム３ｅに送信する（Ｓ５４０）。
【０１８５】
この際の請求データは、交通機関利用データベース１０ｅに、バリュー還元端末５ｅから受信したマイナスのバリューを記録している場合には、マイナスのバリューを有する請求データとして送信し、図１５（ｄ３）のように、既に減算処理後の場合には、その結果を請求データとして送信することとなる。
【０１８６】
例えば交通機関利用データベース１０ｅが図１５（ｄ２）であり、交通機関側仮想ＩＤデータベース１４ｅが図１５（ａ）である場合、交通機関側仮想ＩＤデータベース１４ｅに記録されている「１１１１１」に関連づけられた仮想ＩＤ「Ａ」、「２２２２２」に関連づけられた仮想ＩＤ「Ｂ」、「３３３３３」に関連づけられた仮想ＩＤ「Ｃ」を抽出し、仮想ＩＤ「Ａ」と充当したバリュー「１，０００」、仮想ＩＤ「Ｂ」と充当したバリュー「５００」、仮想ＩＤ「Ｃ」と充当したバリュー「２，０００」、仮想ＩＤ「Ａ」と充当したバリュー「−３００」を請求データとして決済機関側システム３ｅに送信する。
【０１８７】
又交通機関データベースが図１５（ｄ３）であり、交通機関側仮想ＩＤデータベース１４ｅが図１５（ａ）である場合、交通機関側仮想ＩＤデータベース１４ｅから抽出した仮想ＩＤに基づいて、仮想ＩＤ「Ａ」と充当したバリュー「７００」、仮想ＩＤ「Ｂ」と充当したバリュー「５００」、仮想ＩＤ「Ｃ」と充当したバリュー「１，５００」を請求データとして決済機関側システム３ｅに送信する。
【０１８８】
これらの請求データの作成、決済機関側システム３ｅへの送信は、日毎、週毎、月毎等、各種のタイミングで行って良い。
【０１８９】
決済機関側システム３ｅは、請求データをネットワーク６を介して交通機関側システム２ｅから受信する（Ｓ５５０）。請求データを受信した決済機関側システム３ｅは、料金請求装置１１ｅが、受信した請求データに於ける仮想ＩＤを抽出し、その仮想ＩＤに関連づけられたクレジットカード番号を決済機関側仮想ＩＤデータベース１５ｅから抽出する（Ｓ５６０）。
【０１９０】
上述の例に於いて、料金請求装置１１ｅは、図１５（ｂ）の決済機関側仮想ＩＤデータベース１５ｅを検索し、仮想ＩＤ「Ａ」に関連づけられたクレジットカード番号「１２３４−５６７８−９０１２−３４５６」、仮想ＩＤ「Ｂ」に関連づけられたクレジットカード番号「０９８７−６５４３−２１０９−８７６５」、仮想ＩＤ「Ｃ」に関連づけられた「４３２１−８７６５−２１０９−６５４３」等を抽出する。
【０１９１】
クレジットカード番号を抽出後、そのクレジットカード番号と充当したバリューの情報とを料金請求装置１１ｅがクレジットカード利用データベース１２ｅに、クレジットカードの利用として記録する。
【０１９２】
この場合、充当したバリューとしてマイナスのバリューの請求データを含む場合には、それをそのままクレジットカード番号に関連づけて、クレジットカード番号の利用としてバリュー毎別々に記録しても良いし、当該カード識別情報のプラスのバリュー、上述の例ではクレジットカード番号「１２３４−５６７８−９０１２−３４５６」の「１，０００」のバリューから、マイナスのバリュー「−３００」を減算し、合算した結果を記録しても良い。又交通機関側システム２ｅから既に合算した結果を受信している場合には、それをそのままクレジットカード番号の利用としてクレジットカード利用データベース１２ｅに記録する。
【０１９３】
このようにしてクレジットカード利用データベース１２ｅに各利用者毎の金額を記録し、通常のクレジットカード利用と同様にその請求を行う（Ｓ５７０）。上述のプロセスの流れは例えば特許文献２に開示のプロセスの流れを用いても良い。
【０１９４】
このように還元されるＩＣカード４ｅのバリューを直接決済機関側システム３ｅに送信するのではなく、交通機関側システム２ｅに送信し、交通機関側システム２ｅを介することによって、還元されるバリューを交通機関の事業者でも把握できることとなる。
【０１９５】
更に実施例４の場合と異なり、交通機関側システム２ｅから決済機関側システム３ｅに対して請求データを送信する際に請求データにカード識別情報を用いていないので、例えば利用者がＩＣカード４ｅを紛失等してＩＣカード４ｅの再発行によりカード識別情報が変更された場合、新たなカード識別情報を交通事業者が決済機関側システム３ｅに送信せずとも済む。即ち交通機関側でカード識別情報と仮想ＩＤとの関連づけを変更するのみで済む。
【０１９６】
又、実施例２、実施例３、実施例５に於いては仮想ＩＤを用いて請求データに仮想ＩＤを用いているが、交通機関側仮想ＩＤデータベース１４、決済機関側仮想ＩＤデータベース１５を、交通機関側システム２、決済機関側システム３内に設けずに、別途ネットワーク６に接続可能なデータベースサーバ（図示せず）上に設け、交通機関側システム２、決済機関側システム３からアクセス可能なように構成しても良い。この場合、交通機関側仮想ＩＤデータベース１４、決済機関側仮想ＩＤデータベース１５の２つを当該データベースサーバ上に設けても良いし、カード識別情報、仮想ＩＤ、クレジットカード番号を関連づけて一つのデータベースをデータベースサーバ上に設けても良い。
【０１９７】
尚、このようにデータベースサーバに設けた際には、交通機関側システム２から請求データを送信する際には、カード識別情報に関連づけられた仮想ＩＤをデータベースサーバに問い合わせ、それに基づいて仮想ＩＤをデータベースサーバが検索し、その結果を交通機関側システム２に送信し、それを受信した交通機関側システム２は、仮想ＩＤとバリューとを請求データとして決済機関側システム３に送信する。一方交通機関側システム２から請求データを受信した決済機関側システム３は、請求データに於ける仮想ＩＤを抽出し、仮想ＩＤに関連づけられたクレジットカード番号をデータベースサーバに問い合わせ、それに基づいてクレジットカード番号をデータベースサーバが検索し、その結果を決済機関側システム３に送信し、それを受信した決済機関側システム３がクレジットカードに対する事後の処理（実施例２、実施例３の場合にはマージ処理も行う）を行うこととなる。
【０１９８】
又上述の他にも、交通機関側システム２には交通機関側仮想ＩＤデータベース１４を設けるが、決済機関側システム３の決済機関側仮想ＩＤデータベース１５を、別途ネットワーク６に接続可能なデータベースサーバ上に設け、決済機関側システム３からアクセス可能なように構成しても良い。この場合も、決済機関側システム３は上述と同様の処理を行えば仮想ＩＤを含む請求データを受信しても、それをクレジットカード番号の利用として記録することが可能となる。
【０１９９】
尚、本発明のバリューは、鉄道やバス等の交通機関で用いることが好適であり、交通機関に用いる場合を説明したが、その他にも、飲食店、博物館や美術館、テーマパーク等の施設、観光地の入場等、様々な用途で用いることが出来、本発明の実施用途を限定するものではない。
【０２００】
本発明に於ける各装置、データベースは、その機能が論理的に区別されているのみであって、物理上あるいは事実上は同一の領域を為していても良い。又データベースの代わりにデータファイルであっても良いことは言うまでもなく、データベースとの記載にはデータファイルをも含んでいる。
【０２０１】
尚、本発明を実施するにあたり本実施態様の機能を実現するソフトウェアのプログラムを記録した記憶媒体をシステムに供給し、そのシステムのコンピュータが記憶媒体に格納されたプログラムを読み出し実行することによって実現されることは当然である。
【０２０２】
この場合、記憶媒体から読み出されたプログラム自体が前記した実施態様の機能を実現することとなり、そのプログラムを記憶した記憶媒体は本発明を当然のことながら構成することになる。
【０２０３】
プログラムを供給する為の記憶媒体としては、例えば磁気ディスク、ハードディスク、光ディスク、光磁気ディスク、磁気テープ、不揮発性のメモリカード等を使用することができる。
【０２０４】
又、コンピュータが読み出したプログラムを実行することにより、上述した実施態様の機能が実現されるだけではなく、そのプログラムの指示に基づき、コンピュータ上で稼働しているオペレーティングシステムなどが実際の処理の一部又は全部を行い、その処理によって前記した実施態様の機能が実現される場合も含まれることは言うまでもない。
【０２０５】
更に、記憶媒体から読み出されたプログラムが、コンピュータに挿入された機能拡張ボードやコンピュータに接続された機能拡張ユニットに備わる不揮発性あるいは揮発性の記憶手段に書き込まれた後、そのプログラムの指示に基づき、機能拡張ボードあるいは機能拡張ユニットに備わる演算処理装置などが実際の処理の一部あるいは全部を行い、その処理により前記した実施態様の機能が実現される場合も含まれることは当然である。
【０２０６】
【発明の効果】
本発明によって、ＩＣカードの余った通貨相当額のバリューの還元が可能となる。
【図面の簡単な説明】
【図１】本発明の概念を示した概念図である。
【図２】本発明の第１の実施例のシステム構成を示したシステム構成図である。
【図３】本発明の第２の実施例のシステム構成を示したシステム構成図である。
【図４】本発明の第３の実施例のシステム構成を示したシステム構成図である。
【図５】本発明の第１の実施例のプロセスの流れの一例を示したフローチャート図である。
【図６】本発明の第２の実施例のプロセスの流れの一例を示したフローチャート図である。
【図７】本発明の第３の実施例のプロセスの流れの一例を示したフローチャート図である。
【図８】第１の実施例のデータベース構造の概念を示した概念図である。
【図９】第２、第３の実施例のデータベース構造の概念を示した概念図である。
【図１０】本発明の第４の実施例のシステム構成を示したシステム構成図である。
【図１１】本発明の第５の実施例のシステム構成を示したシステム構成図である。
【図１２】本発明の第４の実施例のプロセスの流れの一例を示したフローチャート図である。
【図１３】本発明の第５の実施例のプロセスの流れの一例を示したフローチャート図である。
【図１４】第４の実施例のデータベース構造の概念を示した概念図である。
【図１５】第５の実施例のデータベース構造の概念を示した概念図である。
【符号の説明】
１：バリュー還元システム
２：交通機関側システム
３：決済機関側システム
４：ＩＣカード
５：バリュー還元端末
６：ネットワーク
７：自動改札機
８：改札制御装置
９：管理装置
１０：交通機関利用データベース
１１：料金請求装置
１２：クレジットカード番号データベース
１３：クレジットカード利用データベース
１４：交通機関側仮想ＩＤデータベース
１５：決済機関側仮想ＩＤデータベース
１６：仮想ＩＤ問合わせ装置
【図１】
2004355150.tif 000003
【図２】
2004355150.tif 000004
【図３】
2004355150.tif 000005
【図４】
2004355150.tif 000006
【図５】
2004355150.tif 000007
【図６】
2004355150.tif 000008
【図７】
2004355150.tif 000009
【図８】
2004355150.tif 000010
【図９】
2004355150.tif 000011
【図１０】
2004355150.tif 000012
【図１１】
2004355150.tif 000013
【図１２】
2004355150.tif 000014
【図１３】
2004355150.tif 000015
【図１４】
2004355150.tif 000016
【図１５】
2004355150.tif 000017